(57)【要約】【課題】エンボス加工により凹部を形成しても吸収性物品は堅くならず、着用者の身体に対する密着性が良好な吸収性物品を提供する。【解決手段】本発明は、肌側に設けられた液透過性のトップシート２、着衣側に設けられた液不透過性のバックシート３及びトップシート２とバックシート３との間に介在する液保持性の吸収体４を含む生理用ナプキン１であって、トップシート２は、部分的切断により形成された複数の破断片１０ａが着衣側に折り曲げられることにより形成された複数の切断開口部１０を有し、吸収体４は、切断開口部１０の対応する位置に設けられ、厚さ方向に延在し、吸収体４の肌側の主面において開口する複数の吸収体凹部１１を有する。【選択図】図２
2014068957.tif 000002
【特許請求の範囲】
【請求項１】
液透過性のトップシートと、液不透過性のバックシートと、前記トップシート及び前記バックシートの間に介在する液保持性の吸収体とを含む吸収性物品であって、
前記トップシートは、部分的切断により形成された破断片が折り曲げられて形成された切断開口部を複数有し、
前記吸収体は、前記複数の切断開口部のそれぞれに通じる吸収体凹部を有し、
前記破断片が、前記吸収体凹部の側部を被覆している、前記吸収性物品。
【請求項２】
前記トップシートは不織布であり、前記破断片が前記吸収体凹部の側部に圧着している、請求項１に記載の吸収性物品。
【請求項３】
前記破断片は、前記吸収体凹部の底部をさらに被覆している、請求項１又は２に記載の吸収性物品。
【請求項４】
前記排泄口当接領域のうち少なくとも前記切断開口部の周囲部分に、４０℃における動粘度が０．０１〜８０ｍｍ2／ｓ、抱水率が０．０１〜４．０質量％、重量平均分子量が１，０００未満である血液滑性付与剤が塗工されている、請求項１〜３のいずれか１項に記載の吸収性物品。
【請求項５】
前記血液滑性付与剤のＩＯＢが、０．００〜０．６０のＩＯＢである、請求項４に記載の吸収性物品。
【請求項６】
前記血液滑性付与剤が、次の（ｉ）〜（ｉｉｉ）：
（ｉ）炭化水素、
（ｉｉ）  （ｉｉ−１）炭化水素部分と、（ｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ）又は（ｉｉｉ）の化合物において、オキシ基が２つ以上挿入されている場合には、各オキシ基は隣接していない、
請求項４又は５に記載の吸収性物品。
【請求項７】
前記血液滑性付与剤が、次の（ｉ’）〜（ｉｉｉ’）：
（ｉ’）炭化水素、
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ’）又は（ｉｉｉ’）の化合物において、２以上の同一又は異なる結合が挿入されている場合には、各結合は隣接していない、
請求項４〜６のいずれか１項に記載の吸収性物品。
【請求項８】
前記血液滑性付与剤が、次の（Ａ）〜（Ｆ）：
（Ａ）  （Ａ１）鎖状炭化水素部分と、前記鎖状炭化水素部分の水素原子を置換する２〜４個のヒドロキシル基とを有する化合物と、（Ａ２）鎖状炭化水素部分と、前記鎖状炭化水素部分の水素原子を置換する１個のカルボキシル基とを有する化合物とのエステル、
（Ｂ）  （Ｂ１）鎖状炭化水素部分と、前記鎖状炭化水素部分の水素原子を置換する２〜４個のヒドロキシル基とを有する化合物と、（Ｂ２）鎖状炭化水素部分と、前記鎖状炭化水素部分の水素原子を置換する１個のヒドロキシル基とを有する化合物とのエーテル、
（Ｃ）  （Ｃ１）鎖状炭化水素部分と、前記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、前記鎖状炭化水素部分の水素原子を置換する１個のヒドロキシル基とを有する化合物とのエステル、
（Ｄ）鎖状炭化水素部分と、前記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択される、請求項４〜７のいずれか１項に記載の吸収性物品。
【請求項９】
前記血液滑性付与剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテル、及び（ｆ1）鎖状アルカン、並びにそれらの任意の組み合わせから成る群から選択される、請求項４〜８のいずれか１項に記載の吸収性物品。
【請求項１０】
前記血液滑性付与剤が、１気圧及び４０℃において、０．００〜０．０１Ｐａの蒸気圧を有する、請求項４〜９のいずれか１項に記載の吸収性物品。
【請求項１１】
トップシート及び吸収体の積層体をエンボス加工して、前記トップシートを貫通して前記吸収体に至る凹部を形成する工程を含む、吸収性物品の製造方法であって、
前記エンボス加工が、前記トップシートを部分的に切断して破断片を形成する段階と、前記破断片を前記凹部の側部に圧着させる段階とを含む、前記製造方法。
【請求項１２】
前記エンボス加工に、複数の突起が設けられた外周面を有する突起ロールと、平滑な外周面を有するプレーンロールが使用され、前記積層体が前記突起ロールと前記プレーンロールとの間を通過する際、前記突起の剪断力によって前記トップシートが部分的に切断されて前記破断片が形成されるとともに、前記突起の前記吸収体への圧入によって前記凹部の側部に前記破断片が圧着される、請求項１１に記載の吸収性物品の製造方法。
【発明の詳細な説明】
【技術分野】
【０００１】
本発明は、吸収性物品に関する。
【背景技術】
【０００２】
表面層から吸収層にかけて複数の凹部がエンボス加工により形成された吸収性物品が従来技術として知られている（たとえば、特許文献１及び特許文献２）。この凹部は側面と底部とを有し、側面及び底部には表面層を形成する不織布が存在する。これにより、表面層に排泄された体液は、凹部に侵入し、吸収層に速やかに吸収される。
【先行技術文献】
【特許文献】
【０００３】
【特許文献１】特開２００３−２９１２３４号公報
【特許文献２】特開２００９−１４８３２８号公報
【発明の概要】
【発明が解決しようとする課題】
【０００４】
特許文献１及び２に記載の吸収性物品では、エンボス加工により凹部を形成するとき、表面層が円錐形の加熱ピンにより延伸される。この延伸により生ずる表面層の引張応力により、凹部の周りの吸収層には、厚さ方向に圧縮応力が生じる。これにより、凹部の周りの吸収層は厚さ方向に圧縮され、吸収性物品が堅くなる場合がある。このとき、着用者の身体に対する吸収性物品の密着性が悪くなり、着用者から排泄された体液が吸収性物品から漏れる場合がある。
【０００５】
本発明は、着用者の身体に対する密着性が良好な吸収性物品を提供することを目的とする。
【課題を解決するための手段】
【０００６】
上記課題を解決するために、本発明は、液透過性のトップシートと、液不透過性のバックシートと、前記トップシート及び前記バックシートの間に介在する液保持性の吸収体とを含む吸収性物品であって、前記トップシートは、部分的切断により形成された破断片が折り曲げられて形成された切断開口部を複数有し、前記吸収体は、前記複数の切断開口部のそれぞれに通じる吸収体凹部を有し、前記破断片が、前記吸収体凹部の側部を被覆している、前記吸収性物品を提供する。
【０００７】
また、本発明は、トップシート及び吸収体の積層体をエンボス加工して、前記トップシートを貫通して前記吸収体に至る凹部を形成する工程を含む、吸収性物品の製造方法であって、前記エンボス加工が、前記トップシートを部分的に切断して破断片を形成する段階と、前記破断片を前記凹部の側部に圧着させる段階とを含む、前記製造方法を提供する。
【発明の効果】
【０００８】
本発明によれば、エンボス加工により凹部を形成しても吸収性物品は堅くならず、着用者の身体に対する密着性が良好な吸収性物品を提供することができる。
【図面の簡単な説明】
【０００９】
【図１】図１は本発明の一実施形態の吸収性物品の部分破断平面図である。
【図２】図２（ａ）は図１の本発明の一実施形態の吸収性物品のＡ−Ａ線断面を示す模式断面図であり、図２（ｂ）は、本発明の一実施形態の吸収性物品の凹部の模式断面図である。
【図３】図３は、トップシートに切断開口部を形成し、吸収体に凹部を形成する方法の一例を説明するための図である。
【図４】図４（ａ），（ｂ）はエンボス加工の一例を説明するための図である。
【図５】図５は、本発明の一実施形態の吸収性物品の凹部の変形例の模式断面図である。
【図６】図６は、トップシートがトリＣ２Ｌ油脂肪酸グリセリドを含む生理用ナプキンにおける、トップシートの肌当接面の電子顕微鏡写真である。
【図７】図７は、血液滑性付与剤を含む又は含まない経血の顕微鏡写真である。
【図８】図８は、表面張力の測定方法を説明するための図である。
【発明を実施するための形態】
【００１０】
以下、本発明について説明する。
態様１に係る吸収性物品は、液透過性のトップシートと、液不透過性のバックシートと、前記トップシート及び前記バックシートの間に介在する液保持性の吸収体とを含む吸収性物品であって、前記トップシートは、部分的切断により形成された破断片が折り曲げられて形成された切断開口部を複数有し、前記吸収体は、前記複数の切断開口部のそれぞれに通じる吸収体凹部を有し、前記破断片が、前記吸収体凹部の側部を被覆している、前記吸収性物品である。
【００１１】
態様１に係る吸収性物品において、前記トップシートは不織布であり、前記破断片が前記吸収体凹部の側部に圧着していることが好ましい（態様２）。
【００１２】
態様１又は２に係る吸収性物品において、前記破断片は、前記吸収体凹部の底部をさらに被覆していることが好ましい（態様３）。
【００１３】
態様１〜３に係る吸収性物品において、前記排泄口当接領域のうち少なくとも前記切断開口部の周囲部分に、４０℃における動粘度が０．０１〜８０ｍｍ2／ｓ、抱水率が０．０１〜４．０質量％、重量平均分子量が１，０００未満である血液滑性付与剤が塗工されていることが好ましい（態様４）。
【００１４】
態様４に係る吸収性物品において、前記血液滑性付与剤のＩＯＢが、０．００〜０．６０のＩＯＢであることが好ましい（態様５）。
【００１５】
態様４又は５に係る吸収性物品において、前記血液滑性付与剤が、次の（ｉ）〜（ｉｉｉ）：
（ｉ）炭化水素、
（ｉｉ）  （ｉｉ−１）炭化水素部分と、（ｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される（ここで、（ｉｉ）又は（ｉｉｉ）の化合物において、オキシ基が２つ以上挿入されている場合には、各オキシ基は隣接していない）ことが好ましい（態様６）。
【００１６】
態様４〜６に係る吸収性物品において、前記血液滑性付与剤が、次の（ｉ’）〜（ｉｉｉ’）：
（ｉ’）炭化水素、
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される（ここで、（ｉｉ’）又は（ｉｉｉ’）の化合物において、２以上の同一又は異なる結合が挿入されている場合には、各結合は隣接していない）ことが好ましい（態様７）。
【００１７】
態様４〜７に係る吸収性物品において、前記血液滑性付与剤が、次の（Ａ）〜（Ｆ）：
（Ａ）  （Ａ１）鎖状炭化水素部分と、前記鎖状炭化水素部分の水素原子を置換する２〜４個のヒドロキシル基とを有する化合物と、（Ａ２）鎖状炭化水素部分と、前記鎖状炭化水素部分の水素原子を置換する１個のカルボキシル基とを有する化合物とのエステル、
（Ｂ）  （Ｂ１）鎖状炭化水素部分と、前記鎖状炭化水素部分の水素原子を置換する２〜４個のヒドロキシル基とを有する化合物と、（Ｂ２）鎖状炭化水素部分と、前記鎖状炭化水素部分の水素原子を置換する１個のヒドロキシル基とを有する化合物とのエーテル、
（Ｃ）  （Ｃ１）鎖状炭化水素部分と、前記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、前記鎖状炭化水素部分の水素原子を置換する１個のヒドロキシル基とを有する化合物とのエステル、
（Ｄ）鎖状炭化水素部分と、前記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択されることが好ましい（態様８）。
【００１８】
態様４〜８に係る吸収性物品において、前記血液滑性付与剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテル、及び（ｆ1）鎖状アルカン、並びにそれらの任意の組み合わせから成る群から選択されることが好ましい（態様９）。
【００１９】
態様４〜９に係る吸収性物品において、前記血液滑性付与剤が、１気圧及び４０℃において、０．００〜０．０１Ｐａの蒸気圧を有することが好ましい（態様１０）。
【００２０】
態様１に係る製造方法は、トップシート及び吸収体の積層体をエンボス加工して、前記トップシートを貫通して前記吸収体に至る凹部を形成する工程を含む、吸収性物品の製造方法であって、前記エンボス加工が、前記トップシートを部分的に切断して破断片を形成する段階と、前記破断片を前記凹部の側部に圧着させる段階とを含む、前記製造方法である。
【００２１】
態様１に係る製造方法において、前記エンボス加工に、複数の突起が設けられた外周面を有する突起ロールと、平滑な外周面を有するプレーンロールが使用され、前記積層体が前記突起ロールと前記プレーンロールとの間を通過する際、前記突起の剪断力によって前記トップシートが部分的に切断されて前記破断片が形成されるとともに、前記突起の前記吸収体への圧入によって前記凹部の側部に前記破断片が圧着されることが好ましい（態様２）。
【００２２】
本発明の吸収性物品及び吸収性物品の製造方法において、２種以上の態様を組み合わせることができる。
【００２３】
本発明の吸収性物品の種類及び用途は特に限定されない。吸収性物品としては、例えば、生理用ナプキン、パンティーライナー等の衛生用品・生理用品が挙げられ、これらはヒトを対象としてもよいし、ペット等のヒト以外の動物を対象としてもよい。吸収性物品が吸収対象とする液体は特に限定されないが、主として、経血等の液状排泄物である。
以下、生理用ナプキンを例とし、図面に基づいて、本発明の吸収性物品の実施形態を説明する。
【００２４】
図１は、本発明の吸収性物品の一実施形態に係る生理用ナプキンの部分破断平面図であり、図２は、図１のＡ−Ａ線断面である。
【００２５】
図１及び図２に示すように、生理用ナプキン１は、肌側に設けられた液透過性のトップシート２と、着衣側に設けられた液不透過性のバックシート３と、トップシート２及びバックシート３間に介在する液保持性の吸収体４とを備える。
【００２６】
トップシート２は、部分的切断により形成された複数の破断片１０ａが着衣側に折り曲げられることにより形成された複数の切断開口部１０を有する。ここで、部分的に切断する（部分的切断）とは、破断片１０aが切り離されることなくトップシート２に切断力又は剪断力が加えられることである。すなわち、破断片１０ａの一部がトップシート２の本体との連続性を維持するように、トップシート２が切断又は剪断されることである。
【００２７】
吸収体４は、厚さ方向に延在し、吸収体４の肌側の主面において開口する複数の吸収体凹部１１を有する。吸収体凹部１１は、切断開口部１０に対応する位置に設けられている。吸収体凹部１１は側部１１ａと底部１１ｂとを有し、トップシート２の破断片１０ａが、吸収体凹部１１の側部１１ａの一部を被覆している。また、トップシート２は、切断開口部１０が設けられている領域に排泄口当接領域８を有する。
【００２８】
排泄口当接領域８は、生理用ナプキン１の着用時に、着用者の排泄口（例えば、小陰唇、大陰唇等）が当接する領域である。図１に示すように、排泄口当接領域８は、吸収体配置領域の略中央に設定されている。排泄口当接領域８の位置、面積等は、適宜調整することができる。排泄口当接領域８は、実際に排泄口が当接する領域と略同一の領域として設定されてもよいし、それよりも大きい領域として設定されてもよいが、経血等の液状排泄物の外部への漏れ出しを防止する点から、実際に排泄口が当接する領域よりも大きい領域として設定されることが好ましい。排泄口当接領域８の長さは通常５０〜２００ｍｍ、好ましくは７０〜１５０ｍｍであり、幅は通常１０〜８０ｍｍ、好ましくは２０〜５０ｍｍである。
【００２９】
本実施形態において、排泄口当接領域８は、仮想領域として設定されているが、視覚的に認識可能な領域として設定されていてもよい。視覚的な認識は、例えば、排泄口当接領域８の着色、排泄口当接領域８の周縁における凹部（例えば、ヒートエンボス処理により形成されるエンボス部）の形成等により可能である。
【００３０】
生理用ナプキン１は、トップシート２の幅方向の両側の上に設けられた一対のサイドシート５をさらに含む。また、生理用ナプキン１は、本体部６と本体部６から幅方向に延出する一対のウイング部７とを有する。
【００３１】
トップシート２及びバックシート３は、エンボス加工によりシール部１２で接合される。また、バックシート３及びサイドシート５はエンボス加工によってシール部１３で接合される。シール部１２，１３は、生理用ナプキン１の外周に設けられている。バックシート３の着衣側には、粘着部１４が設けられている。なお、図１において、生理用ナプキン１の幅方向がＸ方向であり、長手方向がＹ方向である。また、平面方向は、ＸＹ方向に広がる平面の方向である。
【００３２】
本体部６の形状は、略長方形、略楕円型、略砂時計型など、女性の身体及びショーツの形状に適合する形状である。本体部６の外形における長手方向の延べ寸法は、好ましくは１００〜５００ｍｍであり、より好ましくは１５０〜３５０ｍｍである。また、本体部６の外形における幅方向の延べ寸法は、好ましくは３０〜２００ｍｍであり、より好ましくは４０〜１８０ｍｍである。
【００３３】
トップシート２は、着用者から排泄された経血を、その下に設けた吸収体４へ通過させる。また、トップシート２は、バックシート３との間に吸収体４を挟むことにより吸収体４を保持する。トップシート２の全部又は一部は液透過性を有し、トップシート２の液透過域は、液透過性の不織布もしくは織布、多数の液透過孔が形成された樹脂フィルム又は多数の網目を有するネット状シートなどで形成され得る。
【００３４】
トップシート２に用いる不織布又は織布の素材には、天然繊維、化学繊維のどちらも使用できる。トップシート２に用いる天然繊維には、粉砕パルプ、コットンなどのセルロースが挙げられる。トップシート２に用いる化学繊維には、レーヨン及びフィブリルレーヨンなどの再生セルロース、アセテート及びトリアセテートなどの半合成セルロース、熱可塑性疎水性化学繊維、ならびに親水化処理を施した熱可塑性疎水性化学繊維が挙げられる。トップシート２に用いる熱可塑性疎水性化学繊維には、ポリエチレン（ＰＥ）、ポリプロピレン（ＰＰ）、ポリエチレンテレフタレート（ＰＥＴ）などの単繊維、ＰＥとＰＰとをグラフト重合してなる繊維、芯鞘構造などの複合繊維などが挙げられる。
【００３５】
トップシート２に用いる不織布を作製するとき、乾式法（カード法、スパンボンド法、メルトブローン法、エアレイド法等）及び湿式法のどちらかで、また乾式法及び湿式法を組み合わせてウェブフォーミングを実施してもよい。トップシート２に用いる不織布を作製するときに実施するウェブのボンディング方法には、サーマルボンディング、ニードルパンチ、ケミカルボンディングなどが挙げられる。また、水流交絡法により形成されたシート状のスパンレースをトップシート２に用いてもよい。また、熱収縮繊維などを用いて下層側を収縮させることによって上層側に凹凸を成形した不織布、ウェブ形成時にエアーを当てることで凹凸を形成した不織布などの肌側の面に凹凸をつけた不織布をトップシート２として使用してもよい。このように肌側の面に凹凸をつけることによってトップシート２と肌との間の接触面積を低減させることができる。
【００３６】
トップシート２に用いる不織布の繊維には、芯成分の融点が鞘成分より高い芯鞘タイプ、芯鞘の偏芯タイプ、又は左右成分の融点が異なるサイド・バイ・サイドタイプの複合繊維を使用してもよい。また、中空タイプの繊維、扁平、Ｙ型及びＣ型などの異型繊維、潜在捲縮もしくは顕在捲縮の立体捲縮繊維、水流、熱又はエンボス加工などの物理的負荷により分割する分割繊維などの繊維がトップシート２に用いる不織布に混合されてもよい。
【００３７】
液体の入り込みや肌触りを考慮すると、トップシート２に用いる不織布の繊維の繊度は、好ましくは１．１〜８．８ｄｔｅｘである。
【００３８】
トップシート２に疎水性合成繊維を使用する場合、トップシート２の液体の浸透性及びリウェットバック性を考慮して、親水剤や撥水剤などを疎水性合成繊維に練りこんだり、親水剤や撥水剤などで疎水性合成繊維をコーティングしたりしてもよい。また、コロナ処理やプラズマ処理によって疎水性合成繊維に親水性を付与してもよい。これにより、血液滑性付与剤が親油性の場合、排泄口当接領域８に親水性の箇所と親油性の箇所とがまばらに存在することになり、経血の親水性成分（主に血しょう）及び親油性成分（主に血球）の両方がトップシート２から吸収体４へ速やかに移行する。
【００３９】
トップシート２の隠ぺい性を高めるために、トップシート２に用いる不織布の繊維に酸化チタン、硫酸バリウム及び炭酸カルシウムなどの無機フィラーを含有させてもよい。不織布の繊維が芯鞘タイプの複合繊維である場合、芯のみに無機フィラーを含有させてもよいし、鞘のみに含有させてもよい。
【００４０】
トップシート２として樹脂フィルム又はネット状シートを使用する場合、樹脂フィルム又はネット状シートは、ポリプロピレン（ＰＰ）、ポリエチレン（ＰＥ）、ポリエチレンテレフタレート（ＰＥＴ）などから形成され得る。
【００４１】
上述したように、トップシート２は、部分的切断によって形成された複数の破断片１０ａがそれぞれ着衣側に折り曲げられることにより形成された複数の切断開口部１０を有する。トップシート２に排泄された経血は、切断開口部１０を通過して吸収体４の吸収体凹部１１の中に侵入する。また、切断開口部１０が配置されている位置は、吸収体４の吸収体凹部１１が配置されている位置に対応する。さらに、切断開口部１０は、吸収体４の肌側の主面における吸収体凹部１１の開口部とほぼ一致する。したがって、切断開口部１０が設けられている領域において、１ｃｍ２当たりの切断開口部１０の数は、後述の吸収体４の肌側の主面の１ｃｍ２当たりの吸収体凹部１１の数と一致し、切断開口部１０の開口径は、後述の吸収体４の肌側の主面における吸収体凹部１１の開口径とおよそ一致する。
【００４２】
具体的には、切断開口部１０が設けられている領域において、切断開口部１０の１ｃｍ２当たりの吸収体凹部１１の数は、好ましくは０．５〜５個であり、より好ましくは１〜３個である。また、切断開口部１０の開口径は、好ましくは、０．３〜６ｍｍであり、より好ましくは、０．６〜３ｍｍである。ここで、切断開口部の形状が円形でない場合、切断開口部１０に外接する円の直径が、切断開口部１０の開口径となる。
【００４３】
切断開口部１０は、トップシート２における、少なくとも着用者の経血排泄口に対向する領域に設けられていればよい。したがって、トップシート２全体に切断開口部１０を設けてもよいし、トップシート２の一部に切断開口部１０を設けてもよい。
【００４４】
着用者の肌とトップシート２との間の摩擦が少ない程、生理用ナプキン１が着用者に与えるストレスは小さくなる。切断開口部１０によりトップシート２と着用者の肌との間の接触面積が小さくなるので、着用者の肌とトップシート２との間の摩擦が小さくなり、生理用ナプキン１が着用者に与えるストレスを小さくできる。
【００４５】
トップシート２の排泄口当接領域８には、４０℃における動粘度が０．０１〜８０ｍｍ2／ｓ、抱水率が０．０１〜４．０質量％、重量平均分子量が１，０００未満である血液滑性付与剤が塗工されている。なお、図１において、排泄口当接領域８内の斜線部分は、血液滑性付与剤が塗工されている部分である。
【００４６】
血液滑性付与剤については、別項目で詳細に説明する。
【００４７】
本実施形態では、排泄口当接領域８の略全体に血液滑性付与剤が塗工されているが、血液滑性付与剤は、排泄口当接領域８のうち切断開口部１０の周囲部分に塗工されていればよい。血液滑性付与剤は、排泄口当接領域８のうち切断開口部１０の周囲部分に塗工されている限り、排泄口当接領域８のうち切断開口部１０の周囲部分以外に塗工されていてもよいし、肌当接面のうち排泄口当接領域８以外の領域（例えば、排泄口当接領域８の周辺領域）に塗工されていてもよい。例えば、血液滑性付与剤は、肌当接面の略全体又は吸収体配置領域の略全体に塗工することができる。
【００４８】
血液滑性付与剤が、排泄口当接領域８のうち少なくとも切断開口部１０の周囲部分に塗工されていることにより、次の作用効果が発揮される。着用者から排泄された経血が排泄口当接領域８に到達すると、切断開口部１０の周囲部分に存在する血液滑性付与剤とともに凹部５に滑落する（すなわち、切断開口部１０を通じて吸収体凹部５１へ移行する）。したがって、生理用ナプキン１は、トップシート２から吸収体４への向上した経血移行性を有し、トップシート２に残存する経血を低減させることができる。このため、トップシート２の肌当接面のべたつき感が防止され、サラサラ感が維持される。このような血液滑性付与剤の作用効果は、月経時の経血排出量の変化に関わらず（すなわち、一度に排出される経血が大量であっても少量であっても）発揮される。
【００４９】
本実施形態では、排泄口当接領域８に切断開口部１０及びこれに通じる吸収体凹部１１が存在し、切断開口部１０が存在しない部分が相対的に凸部となっているので、血液滑性付与剤の作用効果が効果的に発揮される。血液滑性付与剤の作用効果は、切断開口部１０の周囲に加えて、吸収体凹部１１の内面にも血液滑性付与剤を塗工することにより、増強させることができる。
【００５０】
なお、血液滑性付与剤は、潤滑剤としても作用し、繊維同士の摩擦を低減させるので、トップシート２全体のしなやかさを向上させることができる。
【００５１】
生理用ナプキン１は、スキンケア組成物、ローション組成物等を含む公知の吸収性物品とは異なり、エモリエント剤、固定化剤等の成分は不要であり、血液滑性付与剤は、単体で、トップシート２に適用することができる。
【００５２】
血液滑性付与剤の坪量は、通常約１〜３０ｇ／ｍ2、好ましくは約２〜２０ｇ／ｍ2、さらに好ましくは約３〜１０ｇ／ｍ2である。血液滑性付与剤の坪量が、約１ｇ／ｍ2を下回ると、経血がトップシート２に残存しやすくなる一方、血液滑性付与剤の坪量が約３０ｇ／ｍ2を超えると、着用中のべたべた感が増加しやすい。
【００５３】
血液滑性付与剤の坪量は、例えば、以下のように測定することができる。
（１）トップシートの測定すべき範囲を、鋭利な刃物、例えば、カッターの替え刃を用いて、できるだけその厚さを変化させないように切り出して、サンプルを得る。
（２）サンプルの面積：ＳＡ（ｍ2）及び質量：ＳＭ0（ｇ）を測定する。
（３）サンプルを、血液滑性付与剤を溶解させることができる溶媒、例えば、エタノール、アセトン等の中で、少なくとも３分間攪拌し、血液滑性付与剤を溶媒中に溶解させる。
（４）サンプルを、質量を測定したろ紙の上でろ過し、ろ紙上で、サンプルを溶媒で十分に洗浄する。ろ紙上のサンプルを、６０℃のオーブン内で乾燥させる。
（５）ろ紙及びサンプルの質量を測定し、そこからろ紙の質量を減ずることにより、乾燥後のサンプルの質量：ＳＭ1（ｇ）を算出する。
（６）血液滑性付与剤の坪量ＢＢＳ（ｇ／ｍ2）を、次の式：
ＢＢＳ（ｇ／ｍ2）＝［ＳＭ0（ｇ）−ＳＭ1（ｇ）］／ＳＡ（ｍ2）
により算出する。
なお、誤差を少なくするために、サンプルの総面積が１００ｃｍ2を超えるように、複数の吸収性物品から複数のサンプルを採取し、複数回実験を繰り返し、それらの平均値を採用する。
【００５４】
血液滑性付与剤は、トップシート２の繊維間の空隙を閉塞しないように塗工されていることが好ましい。例えば、血液滑性付与剤は、トップシート２の繊維の表面に液滴状又は粒子状で付着しているか、又は繊維の表面を覆っている。
【００５５】
血液滑性付与剤は、その表面積が大きくなるように塗工されていることが好ましい。これにより、血液滑性付与剤と経血との接触面積が大きくなり、血液滑性付与剤が経血とともに滑落しやすくなる。血液滑性付与剤が液滴状又は粒子状で存在する場合には、粒径を小さくすることにより、表面積を大きくすることができる。
【００５６】
血液滑性付与剤の塗工方法としては、例えば、塗布装置（例えば、スパイラルコーター、カーテンコーター、スプレーコーター、ディップコーター等の非接触式のコーター、接触式のコーター等）を用いる方法が挙げられる。好ましい塗布装置は、非接触式のコーターである。これにより、液滴状又は粒子状の血液滑性付与剤を全体に均一に分散させることができるとともに、トップシート２に与えるダメージを低減することができる。
【００５７】
血液滑性付与剤は、所望により、揮発性溶媒、例えば、アルコール系溶媒、エステル系溶媒、芳香族系溶媒等を含む塗布液として塗装することができる。塗布液が揮発性溶媒を含むことにより、血液滑性付与剤を含む塗布液の粘度が下がるために、塗布が容易になる、塗装時の加温が不要になる等の塗布工程の簡易化が図れる。
【００５８】
血液滑性付与剤は、例えば、室温で液体の場合にはそのまま、又は粘度を下げるために加熱して、室温で固体の場合には液化するように加熱して、コントロールシームＨＭＡ（Ｈｏｔ  Ｍｅｌｔ Ａｄｈｅｓｉｖｅ）ガンによって塗工することができる。コントロールシームＨＭＡガンのエアー圧を高くすることにより、微粒子状の血液滑性付与剤を塗工することができる。なお、血液滑性付与剤の塗布量は、例えば、コントロールシームＨＭＡガンからの塗出量を増減することにより調節することができる。
【００５９】
血液滑性付与剤は、トップシート２を製造する際に塗工してもよいし、生理用ナプキン１の製造ラインにおいて塗工してもよい。設備投資を抑制する観点からは、生理用ナプキン１の製造ラインにおいて、血液滑性付与剤を塗工することが好ましく、さらに、血液滑性付与剤が脱落し、ラインを汚染することを抑制するためには、製造ラインの川下工程、具体的には、製品を個包装に封入する直前に、血液滑性付与剤を塗工することが好ましい。
【００６０】
バックシート３は、吸収体４に吸収された経血が外へ漏れ出すのを防止する。バックシート３には、ポリエチレン（ＰＥ）及びポリプロピレン（ＰＰ）などを主体とした液不透過性フィルム、通気性の樹脂フィルム、スパンボンド又はスパンレースなどの不織布に通気性の樹脂フィルムが接合された複合フィルム、耐水性の高いメルトブローン不織布を強度の強いスパンボンド不織布で挟んだサーマルボンド・メルトブロー・サーマルボンド（ＳＭＳ）不織布などを使用することができる。生理用ナプキン１を柔軟にするために、バックシート３には、たとえば、低密度ポリエチレン（ＬＤＰＥ）樹脂を主体とした目付１５〜３０ｇ／ｍ２の樹脂フィルムを使用することが好ましい。
【００６１】
吸収体４は、経血を吸収して保持する機能を有する。吸収体４は、嵩高であり、型崩れし難く、化学的刺激が少ないことが好ましい。吸収体４として、たとえば、親水性繊維及び吸収性ポリマー（ＳＡＰ）などの吸収体４の構成物を被覆材で覆った吸収体及びフラッフ状パルプもしくはエアレイド不織布などの吸収体４の構成物と高吸収性ポリマーなどの吸収体４の構成物とからなる吸収体などを使用できる。
【００６２】
親水性繊維や吸収性ポリマーを被覆材で覆った吸収体４の親水性繊維には、粉砕パルプ及びコットンなどのセルロース、レーヨン及びフィブリルレーヨンなどの再生セルロース、アセテート及びトリアセテートなどの半合成セルロース、粒子状ポリマー、繊維状ポリマー、熱可塑性疎水性化学繊維、親水化処理を施した熱可塑性疎水性化学繊維、ならびにこれらの混合物が挙げられる。また、セルロース発泡体及び合成樹脂の連続発泡体なども吸収体４に使用することができる。さらに、発泡体又はシート化した材料を粉砕した後に吸収体の形状に成形したものを吸収体４に使用することも可能である。これらの中で、低コストであること及び成形がしやすいことから考慮すると、吸収体４の親水性繊維として粉砕パルプを使用することが好ましい。
【００６３】
吸収体４の高吸水性ポリマーには、吸収性及び吸湿性を有するアクリル酸ナトリウム共重合体などの粒状ポリマーが一般的に用いられる。また、他の機能をポリマーに付与するために、銀、銅、亜鉛、シリカ、活性炭、アルミノケイ酸塩化合物又はゼオライトなどをポリマーに添加してもよい。これにより、消臭性、抗菌性、又は吸熱効果などの機能をポリマーに付与することができる。
【００６４】
親水性繊維及び吸収性ポリマーなどの吸収体４の構成物を被覆材で覆った吸収体４の被覆材は、高分子吸収体がすり抜けないバリアー性及び液透過性を有すればとくに限定されない。たとえば、被覆材に、織布又は不織布などを使用することができる。織布及び不織布の素材には、天然繊維、化学繊維のどちらも使用できる。被覆材に用いる天然繊維には、粉砕パルプ及びコットンなどのセルロースが挙げられる。被覆材に用いる化学繊維には、レーヨン及びフィブリルレーヨンなどの再生セルロース、アセテート及びトリアセテートなどの半合成セルロース、熱可塑性疎水性化学繊維、及び親水化処理を施した熱可塑性疎水性化学繊維が挙げられる。
【００６５】
被覆材に用いる不織布の製法で、ウェブフォーミングは、乾式法（カード法、スパンボンド法、メルトブローン法、エアレイド法など）又は湿式法のいずれかで、又は乾式法と湿式法とを組み合わせて実行される。また、被覆材に用いる不織布のボンディングの方法として、サーマルボンディング、ニードルパンチ、ケミカルボンディングなどが挙げられる。また、水流交絡法により形成されたシート状のスパンレースを被覆剤に用いてもよい。これらの中でも、低コストであること及びバリアー性が高いことから考慮すると、被覆材は、好ましくは、粉砕パルプを主材料とし湿式法で成形されるティッシュである。
【００６６】
吸収性シート及びポリマーシートを吸収体４に使用することができる。これにより、吸収体４を薄くできる。この場合、吸収体４の厚さは、好ましくは０．３〜５ｍｍである。吸収性シートには、バインダーなどを使用して繊維などの構成物をシート化したパルプシートなどが挙げられる。ポリマーシートとしては、粒子状ポリマーなどの構成物を混合した粉砕パルプ又は繊維などの構成物をシート状に成形して作製した複合シートなどが挙げられる。なお、粒子状ポリマーを繊維に混合して形成されたシートには、繊維の中で粒子状ポリマーが層状に分散されているシート、及び繊維の中で粒子状ポリマーが三次元状に分散されているシートなどが挙げられる。
【００６７】
吸収性シート又はポリマーシートに用いられる繊維には、木材パルプなどのセルロース繊維、レーヨン及びキュプラなどの再生セルロース繊維、ポリビニルアルコール繊維及びポリアクリロニトリル繊維などの親水性合成繊維、ならびに界面活性剤などで繊維表面を親水化したポリエチレン、ポリプロピレン、ポリエチレンテレフタレート、ポリエチレン／ポリプロピレン複合繊維、ポリエチレン／ポリエチレンテレフタレート複合繊維などの繊維が好ましくは使用される。繊維の親水性が良好に維持される点からは、吸収性シート又はポリマーシートに用いられる繊維には、セルロース繊維がより好ましい。ポリマーシートに用いられる粒子状ポリマーとしては、自重の２０倍以上の液体を吸収・保持でき、かつゲル化し得るポリマーが好ましい。そのようなポリマーには、デンプン、架橋カルボキシメチル化セルロース、ポリアクリル酸及びその塩、ならびにポリアクリル酸塩グラフト重合体などが挙げられる。
【００６８】
上述したように、吸収体４は、厚さ方向に延在し、吸収体４の肌側の面において開口する複数の吸収体凹部１１を有する。これにより、吸収体４の肌側の面及び着衣側の面のみならず吸収体凹部１１の側部１１ａ及び底部１１ｂでも着用者から排泄された経血を吸収体４は吸収することができるので、吸収体４は、経血を速く吸収することができる。
【００６９】
吸収体凹部１１は、吸収体４における、少なくとも着用者の経血排泄口に対向する領域に設けられていればよい。したがって、吸収体４全体に吸収体凹部１１を設けてもよいし、吸収体４の一部に吸収体凹部１１を設けてもよい。
【００７０】
吸収体凹部１１が設けられている領域において、吸収体４の肌側の主面の１ｃｍ２当たりの吸収体凹部１１の数は、好ましくは０．５〜５個であり、より好ましくは１〜３個である。吸収体４の肌側の主面の１ｃｍ２当たりの吸収体凹部１１の数が０．５個よりも小さいと、上述の吸収体凹部１１によって経血の吸収が速くなるという効果が現れない場合がある。また、吸収体４の肌側の主面の１ｃｍ２当たりの吸収体凹部１１の数が５個よりも大きいと、吸収体４によって吸収された経血が平面方向にあまり広がらなくなり、吸収体４の肌側の主面の広い範囲で経血を吸収できない場合がある。また、吸収体４の肌側の面の１ｃｍ２当たりの吸収体凹部１１の数が５個よりも大きいと、吸収体４が吸収できる経血の吸収量が低下する場合がある。
【００７１】
吸収体４の肌側の主面における吸収体凹部１１の開口径は、好ましくは、０．３〜６ｍｍであり、より好ましくは、０．６〜３ｍｍである。ここで、吸収体凹部１１の吸収体４の肌側の主面における断面の形状が円形でない場合、吸収体凹部１１の吸収体４の肌側の主面における断面に外接する円の直径が、吸収体４の肌側の主面における吸収体凹部１１の開口径となる。吸収体４の肌側の主面における吸収体凹部１１の開口径が、０．３ｍｍよりも小さいと、粘度の高い経血が吸収体凹部１１の中に侵入できない場合がある。また、吸収体凹部１１の開口径が、６ｍｍよりも大きいと、吸収体４における吸収体凹部１１が設けられている領域の剛性が弱くなり過ぎてしまい、生理用ナプキン１がヨレやすくなる場合がある。
【００７２】
上述したように、トップシート２の破断片１０ａは、吸収体凹部１１の側部１１ａの一部を被覆する。また、トップシート２の切断開口部１０は、部分的に切断して破断片１０ａが着衣側に折り曲げられることにより形成されているので、切断開口部１０の切断部分１０ｂでは、トップシート２は、吸収体４の吸収体凹部１１の側部１１ａに延在していない。複数の吸収体凹部１１の間で、吸収体凹部１１の側部１１ａにおいてトップシート２が存在しない部分が存在する方向は揃っていてもよい。たとえば、本発明の一実施形態の生理用ナプキン１では、生理用ナプキン１の一方の縦方向側の側部１１ａに、トップシート２が存在しない部分が存在する。なお、吸収体凹部１１の側部１１ａにおいてトップシート２が存在しない部分が存在する方向は、縦方向側に限定されない。たとえば、生理用ナプキン１の一方の幅方向側の側部１１ａに、トップシート２が存在しない部分が存在するようにしてもよい。
【００７３】
上述したように、トップシート２の切断開口部１０は、部分的に切断して破断片１０ａを着衣側に折り曲げられることにより形成する。トップシート２の切断された部分（切断開口部１０の切断部分１０ｂ）と破断片１０ａとは接続していないので、吸収体３の吸収体凹部１１を形成するときに破断片１０ａを着衣側に折り曲げてもトップシート２に生じる延伸は小さくなる。このため、トップシートの延伸による吸収体凹部１１の周りの吸収体４の厚さ方向の圧縮力は小さくなり、生理用ナプキン１が堅くなることが抑制される。
【００７４】
トップシート２の破断片１０ａが、吸収体凹部１１の側部１１ａの一部を被覆することによって、吸収体凹部１１内に浸入した経血は、破断片１０ａを通って速やかに吸収体凹部１１内全体に広がり、吸収体４にさらに速く吸収され得る。トップシート２の破断片１０ａが、吸収体凹部１１の側部１１ａの一部を被覆することによって、吸収体４は、高粘度の経血も速く吸収できる。
【００７５】
また、トップシート２の破断片１０ａが、吸収体凹部１１の側部１１ａの一部を被覆することによって、吸収体４に吸収された経血を隠ぺいすることができる。また、着用者の体圧による、吸収体４に吸収された経血のリウェットを抑制できる。
【００７６】
トップシート２が不織布の場合、部分的断片１０ａは、吸収体凹部１１の側部１１ａに圧着していることが好ましい。これにより、破断片１０ａが吸収体凹部１１の側部１１ａと一体的に圧密化されて高密度化する。すなわち、吸収体４の肌側の主面上に設けられているトップシート２（トップシート２の破断片１０ａ以外の部分、ただし、密度が高くなっているシール部１２，１３を除く）の密度よりも高くなる。したがって、吸収体４の肌側の主面上に設けられているトップシート２上に排泄された経血は、吸収体凹部１１の側部１１ａの一部を被覆する破断片１０ａに移動する。そして、これにより、着用者が経血を排泄した後のトップシート２が湿っている状態を早く解消できる。
【００７７】
吸収体凹部１１の内壁（側部１１ａ及び底部１１ｂ）にも血液滑性付与剤が塗布されていることが好ましい。後述するように、排泄口当接領域８の血液滑性付与剤によって、排泄口当接領域８に排泄された経血の粘度及び表面張力は下がり、トップシート２の排泄口当接領域８に排泄された経血は、トップシート２から吸収体４へ速やかに移行され、そして、吸収体４に吸収される。したがって、血液滑性付与剤が吸収体凹部１１の内壁に塗布されていることによって、吸収体凹部１１に浸入した経血は、トップシート２から吸収体４へ速やかに移行され、そして、吸収体４にさらに速く吸収される。また、この血液滑性付与剤によって、粘度の高い経血の粘度及び表面張力が下がり、経血は吸収体４に移行するため、吸収体凹部１１内に粘度の高い経血の塊が残存しにくくなり、吸収体凹部１１が粘度の高い経血の塊によって塞がれることを抑制することができる。
【００７８】
吸収体４の着衣側の面で、吸収体凹部１１の底部１１ｂに対向する部分４ａは、バックシート３から離間していることが好ましい。これにより、吸収体凹部１１の底部１１ｂ近傍において吸収体４は膨張することができるので、吸収体４は、吸収体凹部１１の底部１１ｂ近傍においても多くの経血を保持することができる。
【００７９】
生理用ナプキン１は、液透過性層として、トップシート２に加えて、トップシート２及び吸収体４の間に配置されたセカンドシートを備えていてもよい。この場合、血液滑性付与剤はセカンドシートに塗工されていてもよい。
【００８０】
セカンドシートは、経血等の液状排泄物が透過可能である限り特に限定されず、セカンドシートの厚み、目付、密度等は、経血等の液状排泄物が透過可能である範囲で適宜調整することができる。
【００８１】
セカンドシートとしては、例えば、不織布、織布、液体透過孔が形成された合成樹脂フィルム、網目を有するネット状シート等が挙げられる。不織布としては、例えば、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられ、不織布を構成する繊維としては、例えば、天然繊維（羊毛，コットン等）、再生繊維（レーヨン，アセテート等）、無機繊維（ガラス繊維，炭素繊維等）、合成樹脂繊維（ポリエチレン、ポリプロピレン、ポリブチレン、エチレン−酢酸ビニル共重合体、エチレン−アクリル酸エチル共重合体、エチレン−アクリル酸共重合体、アイオノマー樹脂等のポリオレフィン；ポリエチレンテレフタレート、ポリブチレンテレフタラート、ポリトリメチレンテレフタラート、ポリ乳酸等のポリエステル；ナイロン等のポリアミド）等が挙げられる。不織布には、芯・鞘型繊維、サイド・バイ・サイド型繊維、島／海型繊維等の複合繊維；中空タイプの繊維；扁平、Ｙ型、Ｃ型等の異型繊維；潜在捲縮又は顕在捲縮の立体捲縮繊維；水流、熱、エンボス加工等の物理的負荷により分割する分割繊維等が混合されていてもよい。
【００８２】
次に、図３を参照して、トップシート２に切断開口部１０を形成し、吸収体４に吸収体凹部１１を形成する方法の一例を説明する。図３は、トップシート２に切断開口部１０を形成し、吸収体４に吸収体凹部１１を形成する方法の一例を説明するための図である。
【００８３】
トップシートロール１２０から供給されたトップシート１２２がベルトコンベア１１０の上に配置される。これにより、トップシート１２２が用意される。
【００８４】
不図示の粉砕パルプ及び吸収性ポリマーの供給装置から粉砕パルプ及び吸収性ポリマー１３２をパターンドラム１３０に供給する。パターンドラム１３０の外周部には粉砕パルプ及び吸収性ポリマーの混合物を詰める型として凹部１３４が形成されている。パターンドラム１３０の内部は吸引１３６されており、パターンドラム１３０に供給された粉砕パルプ１３２は、凹部１３４の中に吸い込まれ、圧縮される。これにより、吸収体が用意される。そして、凹部１３４の中で成形された吸収体１４２はトップシート１２２の上に配置される。これにより、吸収体１４２はトップシート１２２に重ねられる。
【００８５】
なお、図示しないが、ベルトコンベア１１０は、搬送方向ＭＤに向かって両側に延びる２本のベルトで、積層体１４２を支持している。すなわち、積層体１４２のベルトコンベア側表面（図３において下面）のうち、搬送方向ＭＤに向かって両側に延びる両側部分はベルトコンベア１１０で支持されているが、搬送方向ＭＤに向かって延びる中央部分は、ベルトコンベア１１０で支持されておらず、ベルトコンベア１１０の２本のベルトの間から露出している。この露出している部分が、次工程において、エンボス加工処置１５０で加工される。したがって、積層体１４２は、ベルトコンベア１１０上に載置された状態のまま、次工程においてエンボス加工処置１５０で加工される。本実施形態を変更して、ベルトコンベア１１０による積層体１４２の支持を、エンボス加工処置１５０による加工の前に終了してもよい。この場合、積層体１４２は、ベルトコンベア１１０上に載置された状態ではなく、トップシート１２２のテンションで支えられた状態で、エンボス加工処置１５０によって加工される。積層体１４２は、エンボス加工処置１５０による加工の後、再びベルトコンベア１１０上に載置されて搬送されてもよい。
【００８６】
次に、エンボス加工装置１５０を使用して、エンボス加工により、トップシート２の切断開口部１０及び吸収体４の吸収体凹部１１を形成する。エンボス加工装置１５０は、針状、円柱形状及び円錐形状などの形状の複数の突起１５１ａを外周の表面に有する突起ロール１５１と、平滑な表面を外周に有するプレーンロール１５２とを含む。突起ロール１５１及びプレーンロール１５２の回転方向は、吸収体１４２及びトップシート１２２が移動する方向（搬送方向（ＭＤ））と同じである。
【００８７】
突起ロール１５１とプレーンロール１５２との間にトップシート１２２を重ねた吸収体１４２を通過させて吸収体１４２に吸収体凹部１１を形成する。このとき、突起ロール１５１の突起１５１ａが、トップシート１２２を重ねた吸収体１４２を、トップシート１２２側から厚さ方向に圧縮する。また、吸収体１４２から突起ロール１５１の突起１５１ａが抜け出るとき、吸収体１４２の吸収体凹部１１が形成された面の反対側の面において、吸収体１４２の凹部の底部に対向する部分に不図示の凹部が形成される。
【００８８】
上述のエンボス加工装置１５０によるエンボス加工により、トップシート１２２を部分的に切断して複数の破断片１０ａが形成され、破断片１０ａが着衣側にそれぞれ折り曲げられることによって、複数の切断開口部１０がトップシート１２２に形成される。図４を参照して、切断開口部１０の形成を詳細に説明する。図４（ａ），（ｂ）はエンボス加工の一例を説明するための図である。
【００８９】
図４（ａ）に示すように、最初に、突起ロール１５１の突起１５１ａの先端にトップシート１２２に当接する。そして、突起１５１ａがトップシート１２２を圧縮するときにより生じる突起１５１ａの剪断力により、トップシート１２２における突起１５１ａの当接領域の搬送方向（ＭＤ）側の端の部分（１０ｂ）が切断される。なお、トップシート１２２における突起１５１ａの当接領域の搬送方向（ＭＤ）側の反対側の端の部分が切断されないのは、トップシート１２２が搬送方向（ＭＤ）に移動しているためであると予想される。突起１５１ａの剪断力によりトップシート１２２が部分的に切断され（１０ｂ）、トップシート１２２に破断片１０ａが形成する。
【００９０】
突起１５１ａによる剪断力を大きくするためには、突起１５１ａの高さはできるだけ高い方が好ましい。また、突起１５１ａの先端と、突起１５１ａの付け根を結ぶラインの角度はより垂直に近いほうがよい。すなわち、突起１５１ａの側面と突起ロール１５１の外周面とのなす角度は９０°に近い方がよい。たとえば、突起１５１ａの高さは、好ましくは、吸収体凹部１１を形成する前の吸収体１４２の厚さの１/３の厚さよりも大きく、吸収体凹部１１を形成する前の吸収体１４２の厚さの１０倍の厚さよりも小さく、より好ましくは、吸収体凹部１１を形成する前の吸収体１４２の厚さの１/２の厚さよりも大きく、吸収体凹部１１を形成する前の吸収体１４２の厚さの５倍の厚さよりも小さい。突起１５１ａの高さが、吸収体凹部１１を形成する前の吸収体１４２の厚さの１/３の厚さよりも小さい場合、吸収体１４２は吸収体凹部１１を形成しない部分においても厚さ方向に圧縮され、吸収体１４２全体が堅くなる場合がある。また、突起１５１ａの高さが、吸収体凹部１１を形成する前の吸収体１４２の厚さの１０倍の厚さよりも大きい場合、突起１５１ａが折れやすくなる場合がある。突起１５１ａが円柱形状である場合、突起１５１ａの先端角度は、好ましくは２０〜４５°である。突起１５１ａの先端角度が２０°よりも小さいと、突起１５１ａの耐久性が悪くなる場合があり、突起１５１ａの先端角度が４５°よりも大きいと、突起１５１ａによる剪断力が弱くなる場合がある。
【００９１】
次に、図４（ｂ）に示すように、突起ロール１５１の突起１５１ａが吸収体１４２に圧入される。これにより、破断片１０ａは、厚さ方向に折れ曲がる。トップシート１２２は、切断部分１０ｂにおいて切断されているので、破断片１０ａが厚さ方向に折れ曲がっても、トップシート１２２はあまり延伸されない。これにより、突起１５１ａが吸収体１４２に圧入するときに生じるトップシート１２２の引張応力を小さくすることができる。そして、凹部の周りの吸収体１４２が厚さ方向に圧縮されることを抑制できる。
【００９２】
図１に示すサイドシート５は、経血がトップシート２を通って生理用ナプキン１の幅方向外側へ漏れることを防止する。サイドシート５は、疎水性又は撥水性を有することが好ましい。サイドシート５には、たとえば、スパンボンド不織布やＳＭＳ不織布などが使用される。また、サイドシート５は着用者の肌と接触するため、肌への擦れ刺激を低減できるエアスルー不織布をサイドシート５に使用することが好ましい。なお、生理用ナプキン１は、サイドシート５を有さなくてもよい。
【００９３】
トップシート２、バックシート３、吸収体４、及びサイドシート５は、それぞれの層間分離を防止するためにも相互に接合されていることが好ましい。これらの接合には、たとえば、エンボス加工、超音波、ホットメルト型接着剤及びそれらの組み合わせを使用できる。トップシート２とバックシート３とは、エンボス加工によってシール部１２において接合している。バックシート３とサイドシート５とは、エンボス加工によってシール部１３において接合している。トップシート２とサイドシート５とは、本体部６の両側において、ホットメルト接着剤によって接合されている。
【００９４】
エンボス加工の例としては、パターニングされたエンボスロールとフラットロールとの間に、トップシート２とバックシート３、もしくはトップシート２とバックシート３とサイドシート５とを合わせて通過させることによって、吸収体４の周縁部をエンボス加工する方法がある（いわゆるラウンドシールと呼ばれる方法である）。これにより、生理用ナプキン１にシール部１２，１３が形成する。エンボスロール及び／又はフラットロールを加熱することで、各シートが軟化するため、シール部１２，１３が明瞭になりやすい。エンボスパターンには、格子状パターン、千鳥状パターン及び波状パターンなどが挙げられる。シール部１２，１３の境界で生理用ナプキン１が折り曲がりにくくするために、エンボスパターンは間欠で細長状の方が好ましい。
【００９５】
ホットメルト接着剤を使用して、トップシート、バックシート，吸収体，及びサイドシートを接合する場合、スパイラル塗工、コーター塗工、カーテンコーター塗工及びサミットガン塗工などの塗工方法でホットメルト接着剤は各シートに塗布される。そして、その後、シート同士を重ね合わせられ、シート同士が接合される。シート同士が接合された後に、さらにエンボス加工を施し、シート同士の剥離強度を高めてもよい。
【００９６】
シート同士の接合に使用するホットメルト型接着剤には、スチレン−エチレン−ブタジエン−スチレン（ＳＥＢＳ）、スチレン−ブタジエン−スチレン（ＳＢＳ）、スチレン−イソプレン−スチレン（ＳＩＳ）などのゴム系を主体とした、もしくは、直鎖状低密度ポリエチレンなどのオレフィン系を主体とした感圧型接着剤もしくは感熱型接着剤、又は水溶性高分子からなるポリビニルアルコール、カルボキシルメチルセルロース及びゼラチンなどの、もしくは、水膨潤性高分子からなるポリビニルアセテート及びポリアクリル酸ナトリウムなどの感水性接着剤が挙げられる。外面に接着剤が滲み出してしまった場合、タック性を有さない感熱型接着剤が、シート同士の接合に使用するホットメルト型接着剤として好ましくは使用される。具体的な例としては、５〜２５％のＳＥＢＳ、４０〜６０％の脂環族飽和炭化水素、１〜１０％の芳香族変性テルペン及び１５〜３５％の添加剤を溶融混合することによって作製された接着剤が挙げられる。
【００９７】
ウイング部７は、生理用ナプキン１を下着に安定して固定するために生理用ナプキン１に設けられている。ウイング部７を下着の外面側に折り曲げた後、粘着部１４を介して下着のクロッチ部に貼り付けることによって、生理用ナプキン１を下着に安定して固定できる。ウイング部７の形状は略矩形形状である。
【００９８】
バックシート３の着衣側の粘着部１４は、本体部６を下着のクロッチ部の内側に固定し、ウイング部７の着衣側の粘着部１４は、ウイング部７を下着のクロッチ部の外側に固定する。粘着部１４を形成する粘着剤としては、たとえばスチレン系ポリマー、粘着付与剤、可塑剤のいずれかが主成分であるものが好適に使用される。スチレン系ポリマーとしては、スチレン−エチレン−ブチレン−スチレンブロック共重合体、スチレン−ブチレン重合体、スチレン−ブチレン−スチレンブロック共重合体、スチレン−イソブチレン−スチレン共重合体などが挙げられるが、これらのうち１種のみを使用しても、これらの２種以上のポリマーブレンドを使用してもよい。これらの中で、熱安定性が良好であるという点で、スチレン−エチレン−ブチレン−スチレンブロック共重合体が粘着部１４の粘着剤として好ましい。
【００９９】
また、粘着付与剤及び可塑剤として、常温で固体の有機化合物を好ましく用いることができる。粘着付与剤には、たとえばＣ５系石油樹脂、Ｃ９系石油樹脂、ジシクロペンタジエン系石油樹脂、ロジン系石油樹脂、ポリテルペン樹脂、テルペンフェノール樹脂などが挙げられる。可塑剤には、たとえば、リン酸トリフレシル、フタル酸ジブチル、フタル酸ジオクチルなどのモノマー可塑剤の他、ビニル重合体やポリエステルのようなポリマー可塑剤などが挙げられる。
【０１００】
＜血液滑性付与剤＞
血液滑性付与剤は、４０℃における動粘度が約０．０１〜約８０ｍｍ2／ｓであり、抱水率が約０．０５〜約４．０質量％であり、重量平均分子量が約１，０００未満である。
【０１０１】
血液滑性付与剤の４０℃における動粘度は、約０〜約８０ｍｍ2／ｓの範囲において適宜調整することができるが、好ましくは約１〜約７０ｍｍ2／ｓ、さらに好ましくは約３〜約６０ｍｍ2／ｓ、さらに一層好ましくは約５〜約５０ｍｍ2／ｓ、さらに一層好ましくは約７〜約４５ｍｍ2／ｓである。なお、本明細書では、４０℃における動粘度を、単に「動粘度」と称する場合がある。
【０１０２】
動粘度は、ａ）血液滑性付与剤の分子量が大きくなるほど、ｂ）極性基、例えば、カルボニル結合（−ＣＯ−）、エーテル結合（−Ｏ−）、カルボキシル基（−ＣＯＯＨ）、ヒドロキシル基（−ＯＨ）等の比率が高いほど、そしてｃ）ＩＯＢが大きくなるほど、高くなる傾向がある。
【０１０３】
４０℃において、約０〜約８０ｍｍ2／ｓの動粘度を有するためには、血液滑性付与剤の融点が４５℃以下であることが好ましい。血液滑性付与剤が４０℃で結晶を含むと、その動粘度が高くなる傾向があるからである。
【０１０４】
血液滑性付与剤における動粘度の意義については後述するが、動粘度が約８０ｍｍ2／ｓを超えると、血液滑性付与剤の粘性が高く、トップシートの肌当接面に到達した経血と共に、凸部から凹部に滑落し、次いで吸収体内部に移行することが難しくなる傾向がある。
【０１０５】
動粘度は、ＪＩＳ  Ｋ  ２２８３：２０００の「５．動粘度試験方法」に従って、キャノンフェンスケ逆流形粘度計を用いて、４０℃の試験温度で測定されることができる。
【０１０６】
血液滑性付与剤の抱水率は、約０．０１〜約４．０質量％の範囲で適宜調整することができるが、好ましくは約０．０２〜約３．５質量％、さらに好ましくは約０．０３〜約３．０質量％、さらに一層好ましくは約０．０４〜約２．５質量％、さらに一層好ましくは約０．０５〜約２．０質量％である。
【０１０７】
本明細書において、「抱水率」は、物質が、保持することができる水の比率（質量）を意味し、以下の通りに測定することができる。
（１）４０℃の恒温室に、２０ｍＬの試験管、ゴム栓、測定すべき物質及び脱イオン水を一昼夜静置する。
（２）恒温室で、試験管に、測定すべき物質５．０ｇと、脱イオン水５．０ｇを投入する。
（３）恒温室で、試験管の口をゴム栓をし、試験管を１回転させ、５分間静置する。
（４）恒温室で、測定すべき物質の層（通常は、上層）３．０ｇを、直径９０ｍｍの、質量：Ｗ0（ｇ）のガラス製シャーレに採取する。
（５）シャーレを、オーブン内で、１０５℃で３時間加熱し、水分を蒸発させ、シャーレごと、質量：Ｗ1（ｇ）を測定する。
（６）抱水率を、以下の式に従って算出する。
抱水率（質量％）＝１００×［Ｗ0（ｇ）−Ｗ1（ｇ）］／３．０（ｇ）
測定は３回実施し、平均値を採用する。
【０１０８】
血液滑性付与剤における抱水率の意義については後述するが、抱水率が低くなると、血液滑性付与剤と、経血との親和性が低下し、トップシートの肌当接面に到達した経血と共に吸収体に移行しにくくなる傾向がある。一方、抱水率が高くなると、界面活性剤のように、経血との親和性が非常に高くなり、トップシートの肌当接面に、吸収した血液が残存し、トップシートの肌当接面が赤く着色しやすくなる傾向がある。
【０１０９】
抱水率は、ａ）血液滑性付与剤の分子量が小さくなるほど、そしてｂ）極性基、例えば、カルボニル結合（−ＣＯ−）、エーテル結合（−Ｏ−）、カルボキシル基（−ＣＯＯＨ）、ヒドロキシル基（−ＯＨ）等の比率が高いほど、値が大きくなる傾向がある。血液滑性付与剤が、より親水性を有するからである。また、抱水率は、ＩＯＢが大きくなるほど、すなわち、無機性値が高いほど、そして有機性値が小さいほど、値が大きくなる傾向がある。血液滑性付与剤が、より親水性を有することになるからである。
【０１１０】
血液滑性付与剤における動粘度と、抱水率との意義について説明する。
【０１１１】
着用者から排泄された経血が排泄口当接領域に到達すると、凸部に存在する血液滑性付与剤と接触し、これとともに凹部に滑落し、トップシートを通過して吸収体に移行する。
【０１１２】
より詳細には、４０℃において約０．０１〜約８０ｍｍ2／ｓの動粘度を有する血液滑性付与剤は、着用者の体温付近で非常に低粘度であり且つ経血と一定の親和性を有するため、経血とともに、凸部から凹部に滑落し、その滑落の際の勢いを利用して、経血が、トップシートを通過し、吸収体に迅速に移行することができると考えられる。また、凸部に存在する血液滑性付与剤は、約０．０１〜約４．０質量％の抱水率を有するため、経血中の、主に親水性成分（血漿等）と親和性を有しないため、経血をトップシート上に残存させにくいと考えられる。
【０１１３】
着用者から排出された経血が大量である場合には、経血そのものの運動エネルギーが大きく、血液滑性付与剤の動粘度の値が比較的高く経血と共に滑落しにくい場合であっても、抱水率の値が比較的高く経血の親水性成分と親和性が高い場合であっても、重量分子量の値が比較的高く経血と共に滑落しにくい場合であっても、そしてトップシートの肌当接面に凹凸構造がない場合であっても、経血は吸収体に移行しやすいと考えられる。
【０１１４】
一方、着用者から排出された経血が少量である場合には、経血の運動エネルギーが小さく、トップシートの肌当接面に到達した経血が、その場に留まりやすい傾向がある。従って、血液滑性付与剤が、経血とともに、凸部から凹部に滑落し、そして経血をトップシートの内部に引き込み、次いで吸収体に引き込むことにより、経血を迅速に吸収体に移行させることができる。
【０１１５】
血液滑性付与剤は、約１，０００未満の重量平均分子量を有し、そして好ましくは約９００未満の重量平均分子量を有する。重量平均分子量が約１，０００以上であると、血液滑性付与剤そのものにタック性が生じ、着用者に不快感を与える傾向があるからである。また、重量平均分子量が高くなると、血液滑性付与剤の粘度が高くなる傾向があるため、加温により、血液滑性付与剤の粘度を、塗工に適した粘度に下げることが難しくなり、その結果、血液滑性付与剤を、溶媒で希釈しなければならない場合も生じうる。
【０１１６】
血液滑性付与剤は、約１００以上の重量平均分子量を有することが好ましく、そして約２００以上の重量平均分子量を有することがより好ましい。重量平均分子量が小さくなると、血液滑性付与剤の蒸気圧が高くなり、保存中に気化し、量の減少、着用時の臭気等の問題が発生する場合があるからである。
【０１１７】
なお、本明細書において、「重量平均分子量」は、多分散系の化合物（例えば、逐次重合により製造された化合物、複数の脂肪酸と、複数の脂肪族１価アルコールとから生成されたエステル）と、単一化合物（例えば、１種の脂肪酸と、１種の脂肪族１価アルコールから生成されたエステル）とを含む概念であり、Ｎi個の分子量Ｍiの分子（ｉ＝１、又はｉ＝１，２・・・）からなる系において、次の式：
Ｍw＝ΣＮiＭi2／ΣＮiＭi
により求められるＭwを意味する。
【０１１８】
本明細書において、重量平均分子量は、ゲルパーミエーションクロマトグラフィー（ＧＰＣ）により求められる、ポリスチレン換算の値を意味する。
ＧＰＣの測定条件としては、例えば、以下が挙げられる。
機種：（株）日立ハイテクノロジーズ製  高速液体クロマトグラム  Ｌａｃｈｒｏｍ  Ｅｌｉｔｅ
カラム：昭和電工（株）製  ＳＨＯＤＥＸ  ＫＦ−８０１、ＫＦ−８０３及びＫＦ−８０４
溶離液：ＴＨＦ
流量  ：１．０ｍＬ／分
打込み量：１００μＬ
検出：ＲＩ（示差屈折計）
なお、本明細書の実施例に記載される重量平均分子量は、上記条件により測定したものである。
【０１１９】
血液滑性付与剤は、約０．００〜約０．６０のＩＯＢを有することができる。
ＩＯＢ（Ｉｎｏｒｇａｎｉｃ  Ｏｒｇａｎｉｃ  Ｂａｌａｎｃｅ）は、親水性及び親油性のバランスを示す指標であり、本明細書では、小田らによる次式：
ＩＯＢ＝無機性値／有機性値
により算出される値を意味する。
【０１２０】
無機性値及び有機性値は、藤田穆「有機化合物の予測と有機概念図」化学の領域Ｖｏｌ．１１，Ｎｏ．１０（１９５７）ｐ．７１９−７２５）に記載される有機概念図に基づく。
藤田氏による、主要な基の有機性値及び無機性値を、下記表１にまとめる。
【０１２１】
【表１】
2014068957.tif 000003
【０１２２】
例えば、炭素数１４のテトラデカン酸と、炭素数１２のドデシルアルコールとのエステルの場合には、有機性値が５２０（ＣＨ2，２０×２６個）、無機性値が６０（−ＣＯＯＲ，６０×１個）となるため、ＩＯＢ＝０．１２となる。
【０１２３】
血液滑性付与剤において、ＩＯＢは、約０．００〜約０．６０であることが好ましく、約０．００〜約０．５０であることがより好ましく、約０．００〜約０．４０であることがさらに好ましく、そして約０．００〜約０．３０であることがさらに好ましい。ＩＯＢが上述の範囲にあると、抱水力及び動粘度が、上述の要件を満たしやすくなるからである。
【０１２４】
血液滑性付与剤は、４５℃以下の融点を有することが好ましく、４０℃以下の融点を有することがさらに好ましい。血液滑性付与剤が４５℃以下の融点を有することにより、血液滑性付与剤が、上述の範囲の動粘度を有しやすくなるからである。
【０１２５】
本明細書において、「融点」は、示差走査熱量分析計において、昇温速度１０℃／分で測定した場合の、固形状から液状に変化する際の吸熱ピークのピークトップ温度を意味する。融点は、例えば、島津製作所社製のＤＳＣ−６０型ＤＳＣ測定装置を用いて測定することができる。
【０１２６】
血液滑性付与剤は、約４５℃以下の融点を有すれば、室温（約２５℃）で液体であっても、又は固体であってもよい、すなわち、融点が約２５℃以上でも、又は約２５℃未満でもよく、そして例えば、約−５℃、約−２０℃等の融点を有することができる。
【０１２７】
血液滑性付与剤は、その融点に下限は存在しないが、その蒸気圧が低いことが好ましい。血液滑性付与剤の蒸気圧は、２５℃（１気圧）で約０〜約２００Ｐａであることが好ましく、約０〜約１００Ｐａであることがより好ましく、約０〜約１０Ｐａであることがさらに好ましく、約０〜約１Ｐａであることがさらに一層好ましく、約０．０〜約０．１Ｐａであることがさらに一層好ましい。
【０１２８】
本開示の吸収性物品が、人体に接して用いられることを考慮すると、上記蒸気圧は、４０℃（１気圧）で約０〜約７００Ｐａであることが好ましく、約０〜約１００Ｐａであることがより好ましく、約０〜約１０Ｐａであることがさらに好ましく、約０〜約１Ｐａであることがさらに一層好ましく、約０．０〜約０．１Ｐａであることがさらに一層好ましい。血液滑性付与剤の蒸気圧が高いと、保存中に気化し、その量の減少、着用時の臭気等の問題が発生する場合があるからである。
【０１２９】
また、血液滑性付与剤の融点を、気候、着用時間の長さ等に応じて選択することができる。例えば、平均気温が約１０℃以下の地域では、約１０℃以下の融点を有する血液滑性付与剤を採用することにより、経血が排泄された後、周囲温度によって冷却された場合であっても、血液滑性付与剤が機能しやすいと考えられる。
【０１３０】
また、吸収性物品が長時間にわたって使用される場合には、血液滑性付与剤の融点は、約４５℃以下の範囲で高い方が好ましい。汗、着用時の摩擦等の影響を受けにくく、長時間着用した場合であっても、血液滑性付与剤が偏りにくいからである。
【０１３１】
当技術分野では、経血の表面張力等を変化させ、経血を迅速に吸収することを目的として、トップシートの肌当接面を、界面活性剤でコーティングすることが行われている。しかし、界面活性剤がコーティングされたトップシートは、経血中の親水性成分（血漿等）と親和性が高く、それらを引き寄せ、むしろ経血をトップシートに残存させるようにはたらく傾向がある。血液滑性付与剤は、従来公知の界面活性剤と異なり、経血と親和性が低く、経血をトップシートに残存させず、迅速に吸収体に移行させることができる。
【０１３２】
血液滑性付与剤は、好ましくは、次の（ｉ）〜（ｉｉｉ）、
（ｉ）炭化水素、
（ｉｉ）  （ｉｉ−１）炭化水素部分と、（ｉｉ−２）炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
【０１３３】
本明細書において、「炭化水素」は、炭素と水素とから成る化合物を意味し、鎖状炭化水素、例えば、パラフィン系炭化水素（二重結合及び三重結合を含まない、アルカンとも称される）、オレフィン系炭化水素（二重結合を１つ含む、アルケンとも称される）、アセチレン系炭化水素（三重結合を１つ含む、アルキンとも称される）、及び二重結合及び三重結合から成る群から選択される結合を２つ以上含む炭化水素、並びに環状炭化水素、例えば、芳香族炭化水素、脂環式炭化水素が挙げられる。
【０１３４】
炭化水素としては、鎖状炭化水素及び脂環式炭化水素であることが好ましく、鎖状炭化水素であることがより好ましく、パラフィン系炭化水素、オレフィン系炭化水素、及び二重結合を２つ以上含む炭化水素（三重結合を含まない）であることがさらに好ましく、そしてパラフィン系炭化水素であることがさらに好ましい。
鎖状炭化水素には、直鎖状炭化水素及び分岐鎖状炭化水素が含まれる。
【０１３５】
上記（ｉｉ）及び（ｉｉｉ）の化合物において、オキシ基（−Ｏ−）が２つ以上挿入されている場合には、各オキシ基（−Ｏ−）は隣接していない。従って、上記（ｉｉ）及び（ｉｉｉ）の化合物には、オキシ基が連続する化合物（いわゆる、過酸化物）は含まれない。
【０１３６】
また、上記（ｉｉｉ）の化合物では、炭化水素部分の少なくとも１つの水素原子がカルボキシル基（−ＣＯＯＨ）で置換された化合物よりも、炭化水素部分の少なくとも１つの水素原子が、ヒドロキシル基（−ＯＨ）で置換された化合物の方が好ましい。カルボキシル基は、経血中の金属等と結合し、血液滑性付与剤の抱水率が高くなり、所定の範囲を超える場合があるからである。これは、ＩＯＢの観点からも同様である。表１に示すように、カルボキシル基は、経血中の金属等と結合し、無機性値が１５０から、４００以上へと大幅に上昇するため、カルボキシル基を有する血液滑性付与剤は、使用時にＩＯＢの値が約０．６０を上回る場合がありうる。
【０１３７】
血液滑性付与剤は、より好ましくは、次の（ｉ’）〜（ｉｉｉ’）、
（ｉ’）炭化水素、
（ｉｉ’）  （ｉｉ’−１）炭化水素部分と、（ｉｉ’−２）炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
【０１３８】
上記（ｉｉ’）及び（ｉｉｉ’）の化合物において、２以上の同一又は異なる結合が挿入されている場合、すなわち、カルボニル結合（−ＣＯ−）、エステル結合（−ＣＯＯ−）、カーボネート結合（−ＯＣＯＯ−）及びエーテル結合（−Ｏ−）から選択される２以上の同一又は異なる結合が挿入されている場合には、各結合は隣接しておらず、各結合の間には、少なくとも、炭素原子が１つ介在する。
【０１３９】
血液滑性付与剤は、さらに好ましくは、炭化水素部分に、炭素原子１０個当たり、カルボニル結合（−ＣＯ−）を約１．８個以下、エステル結合（−ＣＯＯ−）を２個以下、カーボネート結合（−ＯＣＯＯ−）を約１．５個以下、エーテル結合（−Ｏ−）を約６個以下、カルボキシル基（−ＣＯＯＨ）を約０．８個以下、そして／又はヒドロキシル基（−ＯＨ）を約１．２個以下有することができる。
【０１４０】
血液滑性付与剤は、さらに好ましくは、次の（Ａ）〜（Ｆ）、
（Ａ）  （Ａ１）鎖状炭化水素部分と、鎖状炭化水素部分の水素原子を置換する２〜４個のヒドロキシル基とを有する化合物と、（Ａ２）鎖状炭化水素部分と、鎖状炭化水素部分の水素原子を置換する１個のカルボキシル基とを有する化合物とのエステル、
（Ｂ）  （Ｂ１）鎖状炭化水素部分と、鎖状炭化水素部分の水素原子を置換する２〜４個のヒドロキシル基とを有する化合物と、（Ｂ２）鎖状炭化水素部分と、鎖状炭化水素部分の水素原子を置換する１個のヒドロキシル基とを有する化合物とのエーテル、
（Ｃ）  （Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、鎖状炭化水素部分の水素原子を置換する１個のヒドロキシル基とを有する化合物とのエステル、
（Ｄ）鎖状炭化水素部分と、鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択される。
以下、（Ａ）〜（Ｆ）に従う血液滑性付与剤について詳細に説明する。
【０１４１】
［（Ａ）  （Ａ１）鎖状炭化水素部分と、鎖状炭化水素部分の水素原子を置換する２〜４個のヒドロキシル基とを有する化合物と、（Ａ２）鎖状炭化水素部分と、鎖状炭化水素部分の水素原子を置換する１個のカルボキシル基とを有する化合物とのエステル］
（Ａ）（Ａ１）鎖状炭化水素部分と、鎖状炭化水素部分の水素原子を置換する２〜４個のヒドロキシル基とを有する化合物と、（Ａ２）鎖状炭化水素部分と、鎖状炭化水素部分の水素原子を置換する１個のカルボキシル基とを有する化合物とのエステル（以下、「化合物（Ａ）」と称する場合がある）は、上述の動粘度、抱水率及び重量平均分子量を有する限り、全てのヒドロキシル基がエステル化されていなくともよい。
【０１４２】
（Ａ１）鎖状炭化水素部分と、鎖状炭化水素部分の水素原子を置換する２〜４個のヒドロキシル基とを有する化合物（以下、「化合物（Ａ１）」と称する場合がある）としては、例えば、鎖状炭化水素テトラオール、例えば、アルカンテトラオール、例えば、ペンタエリトリトール、鎖状炭化水素トリオール、例えば、アルカントリオール、例えば、グリセリン、及び鎖状炭化水素ジオール、例えば、アルカンジオール、例えば、グリコールが挙げられる。
【０１４３】
（Ａ２）鎖状炭化水素部分と、鎖状炭化水素部分の水素原子を置換する１個のカルボキシル基とを有する化合物としては、例えば、炭化水素上の１つの水素原子が、１つのカルボキシル基（−ＣＯＯＨ）で置換された化合物、例えば、脂肪酸が挙げられる。
化合物（Ａ）としては、例えば、（ａ1）鎖状炭化水素テトラオールと少なくとも１の脂肪酸とのエステル、（ａ2）鎖状炭化水素トリオールと少なくとも１の脂肪酸とのエステル、及び（ａ3）鎖状炭化水素ジオールと少なくとも１の脂肪酸とのエステルが挙げられる。
【０１４４】
［（ａ1）鎖状炭化水素テトラオールと少なくとも１の脂肪酸とのエステル］
鎖状炭化水素テトラオールと少なくとも１の脂肪酸とのエステルとしては、例えば、次の式（１）：
【化１】
2014068957.tif 000004
のペンタエリトリトールと脂肪酸とのテトラエステル、次の式（２）：
【化２】
2014068957.tif 000005
のペンタエリトリトールと脂肪酸とのトリエステル、次の式（３）：
【化３】
2014068957.tif 000006
のペンタエリトリトールと脂肪酸とのジエステル、次の式（４）：
【化４】
2014068957.tif 000007
のペンタエリトリトールと脂肪酸とのモノエステルが挙げられる。
（式中、Ｒ1〜Ｒ4は、それぞれ、鎖状炭化水素である）
【０１４５】
ペンタエリトリトールと脂肪酸とのエステルを構成する脂肪酸（Ｒ1ＣＯＯＨ、Ｒ2ＣＯＯＨ，Ｒ3ＣＯＯＨ，及びＲ4ＣＯＯＨ）としては、ペンタエリトリトールと脂肪酸とのエステルが、動粘度、抱水率及び重量平均分子量の要件を満たすものであれば、特に制限されないが、例えば、飽和脂肪酸、例えば、Ｃ2〜Ｃ30の飽和脂肪酸、例えば、酢酸（Ｃ2）（Ｃ2は、炭素数を示し、Ｒ1Ｃ、Ｒ2Ｃ，Ｒ3Ｃ又はＲ4Ｃの炭素数に相当する、以下同じ）、プロパン酸（Ｃ3）、ブタン酸（Ｃ4）及びその異性体、例えば、２−メチルプロパン酸（Ｃ4）、ペンタン酸（Ｃ5）及びその異性体、例えば、２−メチルブタン酸（Ｃ5）、２，２−ジメチルプロパン酸（Ｃ5）、ヘキサン酸（Ｃ6）、ヘプタン酸（Ｃ7）、オクタン酸（Ｃ8）及びその異性体、例えば、２−エチルヘキサン酸（Ｃ8）、ノナン酸（Ｃ9）、デカン酸（Ｃ10）、ドデカン酸（Ｃ12）、テトラデカン酸（Ｃ14）、ヘキサデカン酸（Ｃ16）、ヘプタデカン酸（Ｃ17）、オクタデカン酸（Ｃ18）、エイコサン酸（Ｃ20）、ドコサン酸（Ｃ22）、テトラコサン酸（Ｃ24）、ヘキサコサン酸（Ｃ26）、オクタコサン酸（Ｃ28）、トリアコンタン酸（Ｃ30）等、並びに列挙されていないこれらの異性体が挙げられる。
【０１４６】
脂肪酸はまた、不飽和脂肪酸であることができる。不飽和脂肪酸としては、例えば、Ｃ3〜Ｃ20の不飽和脂肪酸、例えば、モノ不飽和脂肪酸、例えば、クロトン酸（Ｃ4）、ミリストレイン酸（Ｃ14）、パルミトレイン酸（Ｃ16）、オレイン酸（Ｃ18）、エライジン酸（Ｃ18）、バクセン酸（Ｃ18）、ガドレイン酸（Ｃ20）、エイコセン酸（Ｃ20）等、ジ不飽和脂肪酸、例えば、リノール酸（Ｃ18）、エイコサジエン酸（Ｃ20）等、トリ不飽和脂肪酸、例えば、リノレン酸、例えば、α-リノレン酸（Ｃ18）及びγ-リノレン酸（Ｃ18）、ピノレン酸（Ｃ18）、エレオステアリン酸、例えば、α-エレオステアリン酸（Ｃ18）及びβ-エレオステアリン酸（Ｃ18）、ミード酸（Ｃ20）、ジホモ-γ-リノレン酸（Ｃ20）、エイコサトリエン酸（Ｃ20）等、テトラ不飽和脂肪酸、例えば、ステアリドン酸（Ｃ20）、アラキドン酸（Ｃ20）、エイコサテトラエン酸（Ｃ20）等、ペンタ不飽和脂肪酸、例えば、ボセオペンタエン酸（Ｃ18）、エイコサペンタエン酸（Ｃ20）等、並びにこれらの部分水素付加物が挙げられる。
【０１４７】
ペンタエリトリトールと脂肪酸とのエステルとしては、酸化等により変性する可能性を考慮すると、飽和脂肪酸に由来する、ペンタエリトリトールと脂肪酸とのエステル、すなわち、ペンタエリトリトールと飽和脂肪酸とのエステルであることが好ましい。
また、ペンタエリトリトールと脂肪酸とのエステルとしては、抱水率の値を小さくする観点から、ジエステル、トリエステル又はテトラエステルであることが好ましく、トリエステル又はテトラエステルであることがより好ましく、そしてテトラエステルであることがさらに好ましい。
【０１４８】
ＩＯＢを約０．００〜約０．６０とする観点から考察すると、ペンタエリトリトールと脂肪酸とのテトラエステルでは、ペンタエリトリトールと脂肪酸とのテトラエステルを構成する脂肪酸の炭素数の合計、すなわち、上記式（１）において、Ｒ1Ｃ、Ｒ2Ｃ、Ｒ3Ｃ及びＲ4Ｃ部分の炭素数の合計が、約１５であることが好ましい（炭素数の合計が１５の場合に、ＩＯＢが０．６０となる）。
【０１４９】
ペンタエリトリトールと脂肪酸とのテトラエステルでは、例えば、ペンタエリトリトールと、ヘキサン酸（Ｃ6）、ヘプタン酸（Ｃ7）、オクタン酸（Ｃ8）、例えば、２−エチルヘキサン酸（Ｃ8）、ノナン酸（Ｃ9）、デカン酸（Ｃ10）及び／又はドデカン酸（Ｃ12）とのテトラエステルが挙げられる。
【０１５０】
ＩＯＢを約０．００〜約０．６０とする観点から考察すると、ペンタエリトリトールと脂肪酸とのトリエステルでは、ペンタエリトリトールと脂肪酸とのトリエステルを構成する脂肪酸の炭素数の合計、すなわち、上記式（２）において、Ｒ1Ｃ、Ｒ2Ｃ及びＲ3Ｃ部分の炭素数の合計が、約１９以上であることが好ましい（炭素数の合計が１９の場合に、ＩＯＢが０．５８となる）。
【０１５１】
ＩＯＢを約０．００〜約０．６０とする観点から考察すると、ペンタエリトリトールと脂肪酸とのジエステルでは、ペンタエリトリトールと脂肪酸とのジエステルを構成する脂肪酸の炭素数の合計、すなわち、上記式（３）において、Ｒ1Ｃ及びＲ2Ｃ部分の炭素数の合計が、約２２以上であることが好ましい（炭素数の合計が２２の場合に、ＩＯＢが０．５９となる）。
【０１５２】
ＩＯＢを約０．００〜約０．６０とする観点から考察すると、ペンタエリトリトールと脂肪酸とのモノエステルでは、ペンタエリトリトールと脂肪酸とのモノエステルを構成する脂肪酸の炭素数、すなわち、上記式（４）において、Ｒ1Ｃ部分の炭素数が、約２５以上であることが好ましい（炭素数が２５の場合に、ＩＯＢが０．６０となる）。
なお、ＩＯＢの計算に当たっては、二重結合、三重結合、ｉｓｏ分岐、及びｔｅｒｔ分岐の影響は、考慮していない（以下、同様である）。
【０１５３】
ペンタエリトリトールと脂肪酸とのエステルの市販品としては、ユニスター  Ｈ−４０８ＢＲＳ、Ｈ−２４０８ＢＲＳ−２２（混合品）等（以上、日油株式会社製）が挙げられる。
【０１５４】
［（ａ2）鎖状炭化水素トリオールと少なくとも１の脂肪酸とのエステル］
鎖状炭化水素トリオールと少なくとも１の脂肪酸とのエステルとしては、例えば、次の式（５）：
【化５】
2014068957.tif 000008
のグリセリンと脂肪酸とのトリエステル、次の式（６）：
【化６】
2014068957.tif 000009
のグリセリンと脂肪酸とのジエステル、及び次の式（７）：
【化７】
2014068957.tif 000010
（式中、Ｒ5〜Ｒ7は、それぞれ、鎖状炭化水素である）
のグリセリンと脂肪酸とのモノエステルが挙げられる。
【０１５５】
グリセリンと脂肪酸とのエステルを構成する脂肪酸（Ｒ5ＣＯＯＨ、Ｒ6ＣＯＯＨ及びＲ7ＣＯＯＨ）としては、グリセリンと脂肪酸とのエステルが、動粘度、抱水率及び重量平均分子量の要件を満たすものであれば、特に制限されず、例えば、「（ａ1）鎖状炭化水素テトラオールと少なくとも１の脂肪酸とのエステル」において列挙される脂肪酸、すなわち、飽和脂肪酸及び不飽和脂肪酸が挙げられ、酸化等により変性する可能性を考慮すると、飽和脂肪酸に由来する、グリセリンと脂肪酸とのエステル、すなわち、グリセリンと飽和脂肪酸とのエステルであることが好ましい。
【０１５６】
また、グリセリンと脂肪酸とのエステルとしては、抱水率の値を小さくする観点から、ジエステル又はトリエステルであることが好ましく、そしてトリエステルであることがより好ましい。
【０１５７】
グリセリンと脂肪酸とのトリエステルは、トリグリセリドとも称され、例えば、グリセリンとオクタン酸（Ｃ8）とのトリエステル、グリセリンとデカン酸（Ｃ10）とのトリエステル、グリセリンとドデカン酸（Ｃ12）とのトリエステル、及びグリセリンと、２種又は３種の脂肪酸とのトリエステル、並びにこれらの混合物が挙げられる。
【０１５８】
グリセリンと、２種以上の脂肪酸とのトリエステルとしては、例えば、グリセリンと、オクタン酸（Ｃ8）及びデカン酸（Ｃ10）とのトリエステル、グリセリンと、オクタン酸（Ｃ8）、デカン酸（Ｃ10）及びドデカン酸（Ｃ12）とのトリエステル、グリセリンと、オクタン酸（Ｃ8）、デカン酸（Ｃ10）、ドデカン酸（Ｃ12）、テトラデカン酸（Ｃ14）、ヘキサデカン酸（Ｃ16）及びオクタデカン酸（Ｃ18）とのトリエステル等が挙げられる。
【０１５９】
融点を約４５℃以下とする観点から考察すると、グリセリンと脂肪酸とのトリエステルは、グリセリンと脂肪酸とのトリエステルを構成する脂肪酸の炭素数の合計、すなわち、式（５）において、Ｒ5Ｃ、Ｒ6Ｃ及びＲ7Ｃ部分の炭素数の合計が、約４０以下であることが好ましい。
【０１６０】
ＩＯＢを約０．００〜約０．６０とする観点から考察すると、グリセリンと脂肪酸とのトリエステルでは、グリセリンと脂肪酸とのトリエステルを構成する脂肪酸の炭素数の合計、すなわち、式（５）において、Ｒ5Ｃ、Ｒ6Ｃ及びＲ7Ｃ部分の炭素数の合計が、約１２以上であることが好ましい（炭素数の合計が１２の場合に、ＩＯＢが０．６０となる）。
グリセリンと脂肪酸とのトリエステルは、いわゆる、脂肪であり、人体を構成しうる成分であるため、安全性の観点から好ましい。
【０１６１】
グリセリンと脂肪酸とのトリエステルの市販品としては、トリヤシ油脂肪酸グリセリド、ＮＡ３６、パナセート８００、パナセート８００Ｂ及びパナセート８１０Ｓ、並びにトリＣ２Ｌ油脂肪酸グリセリド及びトリＣＬ油脂肪酸グリセリド（以上、日油株式会社製）等が挙げられる。
【０１６２】
グリセリンと脂肪酸とのジエステルは、ジグリセリドとも称され、例えば、グリセリンとデカン酸（Ｃ10）とのジエステル、グリセリンとドデカン酸（Ｃ12）とのジエステル、グリセリンとヘキサデカン酸（Ｃ16）とのジエステル、及びグリセリンと、２種の脂肪酸とのジエステル、並びにこれらの混合物が挙げられる。
【０１６３】
ＩＯＢを約０．００〜約０．６０とする観点から考察すると、グリセリンと脂肪酸とのジエステルでは、グリセリンと脂肪酸とのジエステルを構成する脂肪酸の炭素数の合計、すなわち、式（６）において、Ｒ5Ｃ及びＲ6Ｃ部分の炭素数の合計が、約１６以上であることが好ましい（炭素数の合計が１６の場合にＩＯＢが０．５８となる）。
【０１６４】
グリセリンと脂肪酸とのモノエステルは、モノグリセリドとも称され、例えば、グリセリンのオクタデカン酸（Ｃ18）モノエステル、グリセリンのドコサン酸（Ｃ22）モノエステル等が挙げられる。
【０１６５】
ＩＯＢを約０．００〜約０．６０とする観点から考察すると、グリセリンと脂肪酸とのモノエステルでは、グリセリンと脂肪酸とのモノエステルを構成する脂肪酸の炭素数、すなわち、式（７）において、Ｒ5Ｃ部分の炭素数が、約１９以上であることが好ましい（炭素数が１９の場合に、ＩＯＢが０．５９となる）。
【０１６６】
［（ａ3）鎖状炭化水素ジオールと少なくとも１の脂肪酸とのエステル］
鎖状炭化水素ジオールと少なくとも１の脂肪酸とのエステルとしては、例えば、Ｃ2〜Ｃ6の鎖状炭化水素ジオール、例えば、Ｃ2〜Ｃ6のグリコール、例えば、エチレングリコール、プロピレングリコール、ブチレングリコール、ペンチレングリコール又はヘキシレングリコールと、脂肪酸とのモノエステル又はジエステルが挙げられる。
【０１６７】
具体的には、鎖状炭化水素ジオールと少なくとも１の脂肪酸とのエステルとしては、例えば、次の式（８）：
Ｒ8ＣＯＯＣkＨ2kＯＣＯＲ9  （８）
（式中、ｋは、２〜６の整数であり、そしてＲ8及びＲ9は、それぞれ、鎖状炭化水素である）
のＣ2〜Ｃ6グリコールと脂肪酸とのジエステル、及び次の式（９）：
Ｒ8ＣＯＯＣkＨ2kＯＨ  （９）
（式中、ｋは、２〜６の整数であり、そしてＲ8は、鎖状炭化水素である）
のＣ2〜Ｃ6グリコールと脂肪酸とのモノエステルが挙げられる。
【０１６８】
Ｃ2〜Ｃ6グリコールと脂肪酸とのエステルにおいて、エステル化すべき脂肪酸（式（８）及び式（９）において、Ｒ8ＣＯＯＨ及びＲ9ＣＯＯＨに相当する）としては、Ｃ2〜Ｃ6グリコールと脂肪酸とのエステルが、動粘度、抱水率及び重量平均分子量の要件を満たすものであれば、特に制限されず、例えば、「（ａ1）鎖状炭化水素テトラオールと少なくとも１の脂肪酸とのエステル」において列挙されている脂肪酸、すなわち、飽和脂肪酸及び不飽和脂肪酸が挙げられ、酸化等により変性する可能性を考慮すると、飽和脂肪酸が好ましい。
【０１６９】
ＩＯＢを約０．００〜約０．６０とする観点から考察すると、式（８）に示されるブチレングリコール（ｋ＝４）と脂肪酸とのジエステルでは、Ｒ8Ｃ及びＲ9Ｃ部分の炭素数の合計が、約６以上であることが好ましい（炭素数の合計が６の場合に、ＩＯＢが０．６０となる）。
【０１７０】
ＩＯＢを約０．００〜約０．６０とする観点から考察すると、式（９）に示されるエチレングリコール（ｋ＝２）と脂肪酸とのモノエステルでは、Ｒ8Ｃ部分の炭素数が、約１２以上であることが好ましい（炭素数が１２の場合に、ＩＯＢが０．５７となる）。
【０１７１】
Ｃ2〜Ｃ6グリコールと脂肪酸とのエステルとしては、酸化等により変性する可能性を考慮すると、飽和脂肪酸に由来する、Ｃ2〜Ｃ6グリコールと脂肪酸とのエステル、すわなち、Ｃ2〜Ｃ6グリコールと飽和脂肪酸とのエステルであることが好ましい。
【０１７２】
また、Ｃ2〜Ｃ6グリコールと脂肪酸とのエステルとしては、抱水率の値を小さくする観点から、炭素数の大きいグリコールに由来する、グリコールと脂肪酸とのエステル、例えば、ブチレングリコール、ペンチレングリコール又はヘキシレングリコールに由来するグリコールと脂肪酸とのエステルであることが好ましい。
さらに、Ｃ2〜Ｃ6グリコールと脂肪酸とのエステルとしては、抱水率の値を小さくする観点から、ジエステルであることが好ましい。
Ｃ2〜Ｃ6グリコールと脂肪酸とのエステルの市販品としては、例えば、コムポールＢＬ、コムポールＢＳ（以上、日油株式会社製）等が挙げられる。
【０１７３】
［（Ｂ）  （Ｂ１）鎖状炭化水素部分と、鎖状炭化水素部分の水素原子を置換する２〜４個のヒドロキシル基とを有する化合物と、（Ｂ２）鎖状炭化水素部分と、鎖状炭化水素部分の水素原子を置換する１個のヒドロキシル基とを有する化合物とのエーテル］
（Ｂ）  （Ｂ１）鎖状炭化水素部分と、鎖状炭化水素部分の水素原子を置換する２〜４個のヒドロキシル基とを有する化合物と、（Ｂ２）鎖状炭化水素部分と、鎖状炭化水素部分の水素原子を置換する１個のヒドロキシル基とを有する化合物とのエーテル（以下、「化合物（Ｂ）」と称する場合がある）は、上述の動粘度、抱水率及び重量平均分子量を有する限り、全てのヒドロキシル基がエーテル化されていなくともよい。
【０１７４】
（Ｂ１）鎖状炭化水素部分と、鎖状炭化水素部分の水素原子を置換する２〜４個のヒドロキシル基とを有する化合物（以下、「化合物（Ｂ１）」と称する場合がある）としては、「化合物（Ａ）」において化合物（Ａ１）として列挙されるもの、例えば、ペンタエリトリトール、グリセリン、及びグリコールが挙げられる。
【０１７５】
（Ｂ２）鎖状炭化水素部分と、鎖状炭化水素部分の水素原子を置換する１個のヒドロキシル基とを有する化合物（以下、「化合物（Ｂ２）」と称する場合がある）としては、例えば、炭化水素の１個の水素原子が、１個のヒドロキシル基（−ＯＨ）で置換された化合物、例えば、脂肪族１価アルコール、例えば、飽和脂肪族１価アルコール及び不飽和脂肪族１価アルコールが挙げられる。
【０１７６】
飽和脂肪族１価アルコールとしては、例えば、Ｃ1〜Ｃ20の飽和脂肪族１価アルコール、例えば、メチルアルコール（Ｃ1）（Ｃ1は、炭素数を示す、以下同じ）、エチルアルコール（Ｃ2）、プロピルアルコール（Ｃ3）及びその異性体、例えば、イソプロピルアルコール（Ｃ3）、ブチルアルコール（Ｃ4）及びその異性体、例えば、ｓｅｃ−ブチルアルコール（Ｃ4）及びｔｅｒｔ−ブチルアルコール（Ｃ4）、ペンチルアルコール（Ｃ5）、ヘキシルアルコール（Ｃ6）、ヘプチルアルコール（Ｃ7）、オクチルアルコール（Ｃ8）及びその異性体、例えば、２−エチルヘキシルアルコール（Ｃ8）、ノニルアルコール（Ｃ9）、デシルアルコール（Ｃ10）、ドデシルアルコール（Ｃ12）、テトラデシルアルコール（Ｃ14）、ヘキサデシルアルコール（Ｃ16）、へプラデシルアルコール（Ｃ17）、オクタデシルアルコール（Ｃ18）、及びエイコシルアルコール（Ｃ20）、並びに列挙されていないこれらの異性体が挙げられる。
【０１７７】
不飽和脂肪族１価アルコールとしては、飽和脂肪族１価アルコールのＣ−Ｃ単結合の１つを、Ｃ＝Ｃ二重結合で置換したもの、例えば、オレイルアルコールが挙げられ、例えば、新日本理化株式会社から、リカコールシリーズ及びアンジェコオールシリーズの名称で市販されている。
【０１７８】
化合物（Ｂ）としては、例えば、（ｂ1）鎖状炭化水素テトラオールと少なくとも１の脂肪族１価アルコールとのエーテル、例えば、モノエーテル、ジエーテル、トリエーテル及びテトラエーテル、好ましくはジエーテル、トリエーテル及びテトラエーテル、より好ましくはトリエーテル及びテトラエーテル、そしてさらに好ましくはテトラエーテル、（ｂ2）鎖状炭化水素トリオールと少なくとも１の脂肪族１価アルコールとのエーテル、例えば、モノエーテル、ジエーテル及びトリエーテル、好ましくはジエーテル及びトリエーテル、そしてより好ましくはトリエーテル、並びに（ｂ3）鎖状炭化水素ジオールと少なくとも１の脂肪族１価アルコールとのエーテル、例えば、モノエーテル及びジエーテル、そして好ましくはジエーテルが挙げられる。
【０１７９】
鎖状炭化水素テトラオールと少なくとも１の脂肪族１価アルコールとのエーテルとしては、例えば、次の式（１０）〜（１３）：
【化８】
2014068957.tif 000011
（式中、Ｒ10〜Ｒ13は、それぞれ、鎖状炭化水素である。）
の、ペンタエリトリトールと脂肪族１価アルコールとのテトラエーテル、トリエーテル、ジエーテル及びモノエーテルが挙げられる。
【０１８０】
鎖状炭化水素トリオールと少なくとも１の脂肪族１価アルコールとのエーテルとしては、例えば、次の式（１４）〜（１６）：
【化９】
2014068957.tif 000012
（式中、Ｒ14〜Ｒ16は、それぞれ、鎖状炭化水素である。）
の、グリセリンと脂肪族１価アルコールとのトリエーテル、ジエーテル及びモノエーテルが挙げられる。
【０１８１】
鎖状炭化水素ジオールと少なくとも１の脂肪族１価アルコールとのエーテルとしては、次の式（１７）：
Ｒ17ＯＣnＨ2nＯＲ18  （１７）
（式中、ｎは、２〜６の整数であり、そしてＲ17及びＲ18は、それぞれ、鎖状炭化水素である）
のＣ2〜Ｃ6グリコールと脂肪族１価アルコールとのジエーテル、及び次の式（１８）：
Ｒ17ＯＣnＨ2nＯＨ  （１８）
（式中、ｎは、２〜６の整数であり、そしてＲ17は、鎖状炭化水素である）
のＣ2〜Ｃ6グリコールと脂肪族１価アルコールとのモノエーテルが挙げられる。
【０１８２】
ＩＯＢを約０．００〜約０．６０とする観点から考察すると、ペンタエリトリトールと脂肪族１価アルコールとのテトラエーテルでは、ペンタエリトリトールと脂肪族１価アルコールとのテトラエーテルを構成する脂肪族１価アルコールの炭素数の合計、すなわち、上記式（１０）において、Ｒ10、Ｒ11、Ｒ12及びＲ13部分の炭素数の合計が、約４以上であることが好ましい（炭素数の合計が４の場合に、ＩＯＢが０．４４となる）。
【０１８３】
ＩＯＢを約０．００〜約０．６０とする観点から考察すると、ペンタエリトリトールと脂肪族１価アルコールとのトリエーテルでは、ペンタエリトリトールと脂肪族１価アルコールとのトリエーテルを構成する脂肪族１価アルコールの炭素数の合計、すなわち、上記式（１１）において、Ｒ10、Ｒ11及びＲ12部分の炭素数の合計が、約９以上であることが好ましい（炭素数の合計が９の場合に、ＩＯＢが０．５７となる）。
【０１８４】
ＩＯＢを約０．００〜約０．６０とする観点から考察すると、ペンタエリトリトールと脂肪族１価アルコールとのジエーテルでは、ペンタエリトリトールと脂肪族１価アルコールとのジエーテルを構成する脂肪族１価アルコールの炭素数の合計、すなわち、上記式（１２）において、Ｒ10及びＲ11部分の炭素数の合計が、約１５以上であることが好ましい（炭素数の合計が１５の場合に、ＩＯＢが０．６０となる）。
【０１８５】
ＩＯＢを約０．００〜約０．６０とする観点から考察すると、ペンタエリトリトールと脂肪族１価アルコールとのモノエーテルでは、ペンタエリトリトールと脂肪族１価アルコールとのモノエーテルを構成する脂肪族１価アルコールの炭素数、すなわち、上記式（１３）において、Ｒ10部分の炭素数が、約２２以上であることが好ましい（炭素数が２２の場合に、ＩＯＢが０．５９となる）。
【０１８６】
また、ＩＯＢを約０．００〜約０．６０とする観点から考察すると、グリセリンと脂肪族１価アルコールとのトリエーテルでは、グリセリンと脂肪族１価アルコールとのトリエーテルを構成する脂肪族１価アルコールの炭素数の合計、すなわち、式（１４）において、Ｒ14、Ｒ15及びＲ16部分の炭素数の合計が、約３以上であることが好ましい（炭素数の合計が３の場合に、ＩＯＢが０．５０となる）。
【０１８７】
ＩＯＢを約０．００〜約０．６０とする観点から考察すると、グリセリンと脂肪族１価アルコールとのジエーテルでは、グリセリンと脂肪族１価アルコールとのジエーテルを構成する脂肪族１価アルコールの炭素数の合計、すなわち、式（１５）において、Ｒ14及びＲ15部分の炭素数の合計が、約９以上であることが好ましい（炭素数の合計が９の場合に、ＩＯＢが０．５８となる）。
【０１８８】
ＩＯＢを約０．００〜約０．６０とする観点から考察すると、グリセリンと脂肪族１価アルコールとのモノエーテルでは、グリセリンと脂肪族１価アルコールとのモノエーテルを構成する脂肪族１価アルコールの炭素数、すなわち、式（１６）において、Ｒ14部分の炭素数が、約１６以上であることが好ましい（炭素数が１６の場合に、ＩＯＢが０．５８となる）。
【０１８９】
ＩＯＢを約０．００〜約０．６０とする観点から考察すると、式（１７）に示されるブチレングリコール（ｎ＝４）と脂肪族１価アルコールとのジエーテルでは、Ｒ17及びＲ18部分の炭素数の合計が、約２以上であることが好ましい（炭素数の合計が２の場合に、ＩＯＢが０．３３となる）。
また、ＩＯＢを約０．００〜約０．６０とする観点から考察すると、式（１８）に示されるエチレングリコール（ｎ＝２）と脂肪族１価アルコールとのモノエーテルでは、Ｒ17部分の炭素数が、約８以上であることが好ましい（炭素数が８の場合に、ＩＯＢが０．６０となる）。
【０１９０】
化合物（Ｂ）としては、化合物（Ｂ１）と、化合物（Ｂ２）とを、酸触媒の存在下で、脱水縮合することにより生成することができる。
【０１９１】
［（Ｃ）  （Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、鎖状炭化水素部分の水素原子を置換する１個のヒドロキシル基とを有する化合物とのエステル］
（Ｃ）  （Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、鎖状炭化水素部分の水素原子を置換する１個のヒドロキシル基とを有する化合物とのエステル（以下、「化合物（Ｃ）」と称する場合がある）は、上述の動粘度、抱水率及び重量平均分子量を有する限り、全てのカルボキシル基がエステル化されていなくともよい。
【０１９２】
（Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸（以下、「化合物（Ｃ１）」と称する場合がある)としては、例えば、２〜４個のカルボキシル基を有する鎖状炭化水素カルボン酸、例えば、鎖状炭化水素ジカルボン酸、例えば、アルカンジカルボン酸、例えば、エタン二酸、プロパン二酸、ブタン二酸、ペンタン二酸、ヘキサン二酸、ヘプタン二酸、オクタン二酸、ノナン二酸及びデカン二酸、鎖状炭化水素トリカルボン酸、例えば、アルカントリカルボン酸、例えば、プロパン三酸、ブタン三酸、ペンタン三酸、ヘキサン三酸、ヘプタン三酸、オクタン三酸、ノナン三酸及びデカン三酸、並びに鎖状炭化水素テトラカルボン酸、例えば、アルカンテトラカルボン酸、例えば、ブタン四酸、ペンタン四酸、ヘキサン四酸、ヘプタン四酸、オクタン四酸、ノナン四酸及びデカン四酸が挙げられる。
【０１９３】
また、化合物（Ｃ１）には、２〜４個のカルボキシル基を有する鎖状炭化水素ヒドロキシ酸、例えば、リンゴ酸、酒石酸、クエン酸、イソクエン酸等、２〜４個のカルボキシル基を有する鎖状炭化水素アルコキシ酸、例えば、Ｏ−アセチルクエン酸、及び２〜４個のカルボキシル基を有する鎖状炭化水素オキソ酸が含まれる。
（Ｃ２）鎖状炭化水素部分と、鎖状炭化水素部分の水素原子を置換する１個のヒドロキシル基とを有する化合物としては、「化合物（Ｂ）」の項で列挙されるもの、例えば、脂肪族１価アルコールが挙げられる。
【０１９４】
化合物（Ｃ）としては、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、例えば、モノエステル、ジエステル、トリエステル及びテトラエステル、好ましくはジエステル、トリエステル及びテトラエステル、より好ましくはトリエステル及びテトラエステル、そしてさらに好ましくはテトラエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、例えば、モノエステル、ジエステル及びトリエステル、好ましくはジエステル及びトリエステル、そしてより好ましくはトリエステル、並びに（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、例えば、モノエステル及びジエステル、好ましくはジエステルが挙げられる。
化合物（Ｃ）の例としては、アジピン酸ジオクチル、Ｏ−アセチルクエン酸トリブチル等が挙げられ、そして市販されている。
【０１９５】
［（Ｄ）鎖状炭化水素部分と、鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物］
（Ｄ）鎖状炭化水素部分と、鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物（以下、「化合物（Ｄ）」と称する場合がある）としては、（ｄ1）脂肪族１価アルコールと脂肪族１価アルコールとのエーテル、（ｄ2）ジアルキルケトン、（ｄ3）脂肪酸と脂肪族１価アルコールとのエステル、及び（ｄ4）ジアルキルカーボネートが挙げられる。
【０１９６】
［（ｄ1）脂肪族１価アルコールと脂肪族１価アルコールとのエーテル］
脂肪族１価アルコールと脂肪族１価アルコールとのエーテルとしては、次の式（１９）：
Ｒ19ＯＲ20    （１９）
（式中、Ｒ19及びＲ20は、それぞれ、鎖状炭化水素である）
を有する化合物が挙げられる。
【０１９７】
エーテルを構成する脂肪族１価アルコール（式（１９）において、Ｒ19ＯＨ及びＲ20ＯＨに相当する）としては、エーテルが、上述の動粘度、抱水率及び重量平均分子量の要件を満たすものであれば、特に制限されず、例えば、「化合物（Ｂ）」の項で列挙される脂肪族１価アルコールが挙げられる。
【０１９８】
［（ｄ2）ジアルキルケトン］
ジアルキルケトンとしては、次の式（２０）：
Ｒ21ＣＯＲ22    （２０）
（式中、Ｒ21及びＲ22は、それぞれ、アルキル基である）
を有する化合物が挙げられる。
ジアルキルケトンは、市販されている他、公知の方法、例えば、第二級アルコールを、クロム酸等で酸化することにより得ることができる。
【０１９９】
［（ｄ3）脂肪酸と脂肪族１価アルコールとのエステル］
脂肪酸と脂肪族１価アルコールとのエステルとしては、例えば、次の式（２１）：
Ｒ23ＣＯＯＲ24  （２１）
（式中、Ｒ23及びＲ24は、それぞれ、鎖状炭化水素である）
を有する化合物が挙げられる。
【０２００】
エステルを構成する脂肪酸（式（２１）において、Ｒ23ＣＯＯＨに相当する）としては、例えば、「（ａ1）鎖状炭化水素テトラオールと脂肪酸とのエステル」において列挙されている脂肪酸、すなわち、飽和脂肪酸又は不飽和脂肪酸が挙げられ、酸化等により変性する可能性を考慮すると、飽和脂肪酸が好ましい。エステルを構成する脂肪族１価アルコール（式（２１）において、Ｒ24ＯＨに相当する）としては、例えば、「化合物（Ｂ）」の項で列挙される脂肪族１価アルコールが挙げられる。
【０２０１】
脂肪酸と脂肪族１価アルコールとのエステルの例としては、例えば、ドデカン酸（Ｃ12）と、ドデシルアルコール（Ｃ12）とのエステル、テトラデカン酸（Ｃ14）と、ドデシルアルコール（Ｃ12）とのエステル等が挙げられ、脂肪酸と脂肪族１価アルコールとのエステルの市販品としては、例えば、エレクトールＷＥ２０、及びエレクトールＷＥ４０（以上、日油株式会社製）が挙げられる。
【０２０２】
［（ｄ4）ジアルキルカーボネート］
ジアルキルカーボネートとしては、次の式（２２）：
Ｒ25ＯＣ（＝Ｏ）ＯＲ26    （２２）
（式中、Ｒ25及びＲ26は、それぞれ、アルキル基である）
を有する化合物が挙げられる。
ジアルキルカーボネートは、市販されている他、ホスゲンとアルコールとの反応、塩化ギ酸エステルとアルコール又はアルコラートとの反応、及び炭酸銀とヨウ化アルキルとの反応により合成することができる。
【０２０３】
抱水率、蒸気圧等の観点から考察すると、（ｄ1）脂肪族１価アルコールと脂肪族１価アルコールとのエーテル、（ｄ2）ジアルキルケトン、（ｄ3）脂肪酸と脂肪族１価アルコールとのエステル、及び（ｄ4）ジアルキルカーボネートでは、重量平均分子量が約１００以上であることが好ましく、そして約２００以上であることがより好ましい。
なお、（ｄ2）ジアルキルケトンにおいて、炭素数の合計が約８の場合、例えば、５−ノナノンでは、融点は約−５０℃であり、蒸気圧は２０℃で約２３０Ｐａである。
【０２０４】
［（Ｅ）ポリオキシＣ3〜Ｃ6アルキレングリコール、又はそのアルキルエステル若しくはアルキルエーテル］
（Ｅ）ポリオキシＣ3〜Ｃ6アルキレングリコール、又はそのアルキルエステル若しくはアルキルエーテル（以下、化合物（Ｅ）と称する場合がある）としては、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテルが挙げられる。以下、説明する。
【０２０５】
［（ｅ1）ポリオキシＣ3〜Ｃ6アルキレングリコール］
ポリオキシＣ3〜Ｃ6アルキレングリコールは、ｉ）オキシＣ3〜Ｃ6アルキレン骨格、すなわち、オキシプロピレン骨格、オキシブチレン骨格、オキシペンチレン骨格、及びオキシヘキシレン骨格から成る群から選択されるいずれか１種の骨格を有し且つ両末端にヒドロキシ基を有するホモポリマー、ｉｉ）上記群から選択される２種以上の骨格を有し且つ両末端にヒドロキシ基を有するブロックコポリマー、又はｉｉｉ）上記群から選択される２種以上の骨格を有し且つ両末端にヒドロキシ基を有するランダムコポリマーを意味する。
【０２０６】
ポリオキシＣ3〜Ｃ6アルキレングリコールは、次の式（２３）：
ＨＯ−（ＣmＨ2mＯ）n−Ｈ      （２３）
（式中、ｍは３〜６の整数である）
により表わされる。
【０２０７】
本発明者が確認したところ、ポリプロピレングリコール（式（２３）において、ｍ＝３のホモポリマーに相当する）では、重量平均分子量が約１，０００未満の場合には、抱水率の要件を満たさないことが見いだされた。従って、血液滑性付与剤の範囲に、ポリプロピレングリコールのホモポリマーは含まれず、プロピレングリコールは、他のグリコールとのコポリマー又はランダムポリマーとして、（ｅ1）ポリオキシＣ3〜Ｃ6アルキレングリコールに含まれるべきである。
【０２０８】
なお、本発明者が確認したところ、ポリエチレングリコール（式（２３）において、ｍ＝２のホモポリマーに相当する）では、重量平均分子量が１，０００未満では、動粘度及び抱水率の要件を満たし得ないことが示唆された。
【０２０９】
ＩＯＢを約０．００〜約０．６０とする観点から考察すると、例えば、式（２３）がポリブチレングリコール（ｍ＝４のホモポリマー）である場合には、ｎ≧約７であることが好ましい（ｎ＝７の場合に、ＩＯＢが０．５７となる）。
【０２１０】
ポリＣ3〜Ｃ6アルキレングリコールの市販品としては、例えば、ユニオール（商標）ＰＢ−５００及びＰＢ−７００（以上、日油株式会社製）が挙げられる。
【０２１１】
［（ｅ2）ポリオキシＣ3〜Ｃ6アルキレングリコールと少なくとも１の脂肪酸とのエステル］
ポリオキシＣ3〜Ｃ6アルキレングリコールと少なくとも１の脂肪酸とのエステルとしては、「（ｅ1）ポリオキシＣ3〜Ｃ6アルキレングリコール」の項で説明したポリオキシＣ3〜Ｃ6アルキレングリコールのＯＨ末端の一方又は両方が、脂肪酸によりエステル化されているもの、すなわち、モノエステル及びジエステルが挙げられる。
【０２１２】
ポリオキシＣ3〜Ｃ6アルキレングリコールと少なくとも１の脂肪酸とのエステルにおいて、エステル化すべき脂肪酸としては、例えば、「（ａ1）鎖状炭化水素テトラオールと少なくとも１の脂肪酸とのエステル」において列挙されている脂肪酸、すなわち、飽和脂肪酸又は不飽和脂肪酸が挙げられ、酸化等により変性する可能性を考慮すると、飽和脂肪酸が好ましい。
【０２１３】
［（ｅ3）ポリオキシＣ3〜Ｃ6アルキレングリコールと少なくとも１の脂肪族１価アルコールとのエーテル］
ポリオキシＣ3〜Ｃ6アルキレングリコールと少なくとも１の脂肪族１価アルコールとのエーテルとしては、「（ｅ1）ポリオキシＣ3〜Ｃ6アルキレングリコール」の項で説明したポリオキシＣ3〜Ｃ6アルキレングリコールのＯＨ末端の一方又は両方が、脂肪族１価アルコールによりエーテル化されているもの、すなわち、モノエーテル及びジエーテルが挙げられる。
ポリオキシＣ3〜Ｃ6アルキレングリコールと少なくとも１の脂肪族１価アルコールとのエーテルにおいて、エーテル化すべき脂肪族１価アルコールとしては、例えば、「化合物（Ｂ）」の項で列挙されている脂肪族１価アルコールが挙げられる。
【０２１４】
［（Ｆ）鎖状炭化水素］
鎖状炭化水素としては、例えば、（ｆ1）鎖状アルカン、例えば、直鎖アルカン及び分岐鎖アルカンが挙げられる。直鎖アルカンは、融点が約４５℃以下の場合には、炭素数が約２２以下となり、そして蒸気圧が１気圧及び２５℃で約０．０１Ｐａ以下である場合には、炭素数が約１３以上となる。分岐鎖アルカンは、直鎖アルカンよりも、同一炭素数において融点が低い傾向がある。従って、分岐鎖アルカンは、融点が約４５℃以下の場合でも、炭素数が２２以上のものも含むことができる。
炭化水素の市販品としては、例えば、パールリーム６（日油株式会社）が挙げられる。
排泄口当接領域８のうち少なくとも凸部８には、血液滑性付与剤が単独で塗工されていてもよいし、血液滑性付与剤と、少なくとも１種の他の成分とを含有する血液滑性付与剤含有組成物が塗工されていてもよい。
【０２１５】
以下、血液滑性付与剤含有組成物について説明する。なお、血液滑性付与剤含有組成物の塗工に関しては、血液滑性付与剤の塗工と同様であるので、説明を省略する。
【０２１６】
［血液滑性付与剤含有組成物］
血液滑性付与剤含有組成物は、上述の血液滑性付与剤と、少なくとも１種の他の成分とを含有する。他の成分としては、血液滑性付与剤の作用効果を阻害しないものであれば特に制限されず、当業界で吸収性物品、特にトップシートに慣用的に適用されるものを使用することができる。
【０２１７】
他の成分としては、例えば、シリコーンオイル、シリコーン、シリコーン系レジン等が挙げられる。
【０２１８】
他の成分としては、例えば、酸化防止剤、例えば、ＢＨＴ（２，６−ジ−ｔ−ブチル−ｐ−クレゾール）、ＢＨＡ（ブチル化ヒドロキシアニソール）、没食子酸プロピル等が挙げられる。
【０２１９】
他の成分としては、例えば、ビタミン、例えば、天然ビタミン又は合成ビタミンが挙げられる。ビタミンとしては、例えば、水溶性ビタミン、例えば、ビタミンＢ群、例えば、ビタミンＢ1，ビタミンＢ2，ビタミンＢ3，ビタミンＢ5，ビタミンＢ6，ビタミンＢ7，ビタミンＢ9，ビタミンＢ12等、ビタミンＣが挙げられる。
【０２２０】
ビタミンとしては、例えば、脂溶性ビタミン、例えば、ビタミンＡ群、ビタミンＤ群、ビタミンＥ群、およびビタミンＫ群等が挙げられる。ビタミンにはまた、それらの誘導体も含まれる。
【０２２１】
他の成分としては、例えば、アミノ酸、例えば、アラニン、アルギニン、リジン、ヒスチジン、プロリン、ヒドロキシプロリン等、並びにペプチドが挙げられる。
【０２２２】
他の成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。
【０２２３】
他の成分としては、例えば、コレステロール、ヒアルロン酸、レシチン、セラミド等が挙げられる。
【０２２４】
他の成分としては、例えば、薬剤、例えば、皮膚収斂剤、抗ニキビ剤、抗シワ剤、抗セルライト剤、美白剤、抗菌剤、抗カビ剤等が挙げられる。
【０２２５】
皮膚収斂剤としては、例えば、酸化亜鉛、硫酸アルミニウム、タンニン酸等、油溶性皮膚収斂剤、例えば、油溶性ポリフェノールが挙げられる。油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。
【０２２６】
抗ニキビ剤としては、例えば、サリチル酸、過酸化ベンゾイル、レゾルシノール、イオウ、エリスロマイシン、亜鉛等が挙げられる。
【０２２７】
抗シワ剤としては、例えば、乳酸、サリチル酸、サリチル酸誘導体、グリコール酸、フィチン酸、リポ酸、リソフォスファチド酸が挙げられる。
【０２２８】
抗セルライト剤としては、例えば、キサンチン化合物、例えば、アミノフィリン、カフェイン、テオフィリン、テオブロミン等が挙げられる。
【０２２９】
美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【０２３０】
他の成分としては、例えば、抗炎症成分、ｐＨ調整剤、抗菌剤、保湿剤、香料、色素、染料、顔料、植物抽出エキス等が挙げられる。
【０２３１】
抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。
【０２３２】
ｐＨ調整剤としては、皮膚を弱酸性に保つためのもの、例えば、リンゴ酸、コハク酸、クエン酸、酒石酸、乳酸等が挙げられる。
【０２３３】
顔料としては、例えば、酸化チタンが挙げられる。
【０２３４】
血液滑性付与剤含有組成物は、血液滑性付与剤及び少なくとも１種の他の成分を、それぞれ、好ましくは約５０〜約９９質量％及び約１〜約５０質量％、より好ましくは約６０〜約９９質量％及び約１〜約４０質量％、さらに好ましくは約７０〜約９９質量％及び約１〜約３０質量％、さらに一層好ましくは約８０〜約９９質量％及び約１〜約２０質量％、さらに一層好ましくは約９０〜９９質量％及び約１〜約１０質量％、さらに一層好ましくは約９５〜９９質量％及び約１〜約５質量％含む。血液滑性付与剤及び他の成分の作用効果の観点からである。
【０２３５】
血液滑性付与剤含有組成物は、界面活性剤を、トップシート又はセカンドシートの親水化処理に由来する量以下で含むことが好ましい。より具体的には、血液滑性付与剤含有組成物は、界面活性剤を、好ましくは約０．０〜約１．０ｇ／ｍ2、より好ましくは約０．０〜約０．８ｇ／ｍ2、さらに好ましくは約０．１〜約０．５ｇ／ｍ2、さらに一層好ましくは約０．１〜約０．３ｇ／ｍ2の坪量の範囲で含む。
【０２３６】
界面活性剤の量が増えると、経血がトップシートに残存しやすい傾向があるからである。なお、界面活性剤は、抱水率の値を有しない。水と混和するため、測定すべき物質の層が存在しないからである。
【０２３７】
血液滑性付与剤含有組成物は、水を、好ましくは約０．０〜約１．０ｇ／ｍ2、より好ましくは約０．０〜約０．８ｇ／ｍ2、さらに好ましくは約０．１〜約０．５ｇ／ｍ2、さらに一層好ましくは約０．１〜約０．３ｇ／ｍ2の坪量の範囲で含む。水は、吸収性物品の吸収性能を低下させるため、少ないことが好ましい。
【０２３８】
血液滑性付与剤含有組成物は、血液滑性付与剤と同様に、組成物として、４０℃において、約０〜約８０ｍｍ2／ｓの動粘度を有することが好ましく、約１〜約７０ｍｍ2／ｓの動粘度を有することがより好ましく、約３〜約６０ｍｍ2／ｓの動粘度を有することがさらに好ましく、約５〜約５０ｍｍ2／ｓの動粘度を有することがさらに一層好ましく、約７〜約４５ｍｍ2／ｓの動粘度を有することがさらに一層好ましい。
【０２３９】
血液滑性付与剤含有組成物の動粘度が約８０ｍｍ2／ｓを超えると、粘性が高く、トップシートの肌当接面に到達した経血と共に、血液滑性付与剤組成物が吸収性物品の内部に滑落することが難しくなる傾向があるからである。
【０２４０】
血液滑性付与剤含有組成物が、少なくとも１種の他の成分として血液滑性付与剤と混和する成分を含む場合には、その他の成分は、好ましくは約１，０００未満の重量平均分子量を有し、より好ましくは約９００未満の重量平均分子量を有する。重量平均分子量が約１，０００以上であると、血液滑性付与剤含有組成物そのものにタック性が生じ、着用者に不快感を与える傾向があるからである。また、重量平均分子量が高くなると、血液滑性付与剤含有組成物の粘度が高くなる傾向があるため、加温により、血液滑性付与剤組成物の粘度を、塗布に適した粘度に下げることが難しくなり、その結果、血液滑性付与剤を、溶媒で希釈しなければならない場合も生じうる。
【０２４１】
血液滑性付与剤含有組成物は、組成物として、約０．０１〜約４．０質量％の抱水率を有し、約０．０２〜約３．５質量％の抱水率を有することが好ましく、約０．０３〜約３．０質量％の抱水率を有することがより好ましく、約０．０４〜約２．５質量％の抱水率を有することがさらに好ましく、そして約０．０５〜約２．０質量％の抱水率を有することがさらに好ましい。
【０２４２】
抱水率が低くなると、血液滑性付与剤組成物と、経血との親和性が低下し、トップシートの肌当接面に到達した経血が吸収性物品の内部に滑落しにくくなる傾向がある。
なお、血液滑性付与剤含有組成物が固形物を含む場合には、動粘度及び抱水率の測定において、それらを濾過により取り除くことが好ましい。
【実施例】
【０２４３】
＜試験例１＞
以下に、本試験例で用いられた血液滑性付与剤を列挙する。
［（ａ1）鎖状炭化水素テトラオールと少なくとも１の脂肪酸とのエステル］
・ユニスター  Ｈ−４０８ＢＲＳ，日油株式会社製
テトラ２−エチルヘキサン酸ペンタエリトリトール，重量平均分子量：約６４０
・ユニスター  Ｈ−２４０８ＢＲＳ−２２，日油株式会社製
テトラ２−エチルヘキサン酸ペンタエリトリトールと、ジ２−エチルヘキサン酸ネオペンチルグリコールとの混合物（５８：４２、重量比），重量平均分子量：約５２０
【０２４４】
［（ａ2）鎖状炭化水素トリオールと少なくとも１の脂肪酸とのエステル］
・Ｃｅｔｉｏｌ  ＳＢ４５ＤＥＯ，コグニスジャパン株式会社製
脂肪酸が、オレイン酸又はステアリル酸である、グリセリンと脂肪酸とのトリエステル
・ＳＯＹ４２，日油株式会社製
Ｃ14の脂肪酸：Ｃ16の脂肪酸：Ｃ18の脂肪酸：Ｃ20の脂肪酸（飽和脂肪酸及び不飽和脂肪酸の両方を含む）がおおよそ０．２：１１：８８：０．８の質量比で含まれている、グリセリンと脂肪酸とのトリエステル，重量平均分子量：８８０
【０２４５】
・トリＣ２Ｌ油脂肪酸グリセリド，日油株式会社製
Ｃ8の脂肪酸：Ｃ10の脂肪酸：Ｃ12の脂肪酸がおおよそ３７：７：５６の重量比で含まれている、グリセリンと脂肪酸とのトリエステル，重量平均分子量：約５７０
・トリＣＬ油脂肪酸グリセリド，日油株式会社製
Ｃ8の脂肪酸：Ｃ12の脂肪酸がおおよそ４４：５６の重量比で含まれている、グリセリンと脂肪酸とのトリエステル，重量平均分子量：約５７０
【０２４６】
・パナセート８１０ｓ，日油株式会社製
Ｃ8の脂肪酸：Ｃ10の脂肪酸がおおよそ８５：１５の重量比で含まれている、グリセリンと脂肪酸とのトリエステル，重量平均分子量：約４８０
・パナセート８００，日油株式会社製
脂肪酸が全てオクタン酸（Ｃ8）である、グリセリンと脂肪酸とのトリエステル，重量平均分子量：約４７０
【０２４７】
・パナセート８００Ｂ，日油株式会社製
脂肪酸が全て２−エチルヘキサン酸（Ｃ8）である、グリセリンと脂肪酸とのトリエステル，重量平均分子量：約４７０
・ＮＡ３６，日油株式会社製
Ｃ16の脂肪酸：Ｃ18の脂肪酸：Ｃ20の脂肪酸（飽和脂肪酸及び不飽和脂肪酸の両方を含む）がおおよそ５：９２：３の重量比で含まれている、グリセリンと脂肪酸とのトリエステル，重量平均分子量：約８８０
【０２４８】
・トリヤシ油脂肪酸グリセリド，日油株式会社製
Ｃ8の脂肪酸：Ｃ10の脂肪酸：Ｃ12の脂肪酸：Ｃ14の脂肪酸：Ｃ16の脂肪酸（飽和脂肪酸及び不飽和脂肪酸の両方を含む）がおおよそ４：８：６０：２５：３の重量比で含まれている、グリセリンと脂肪酸とのトリエステル，重量平均分子量：６７０
・カプリル酸ジグリセリド，日油株式会社製
脂肪酸がオクタン酸である、グリセリンと脂肪酸とのジエステル，重量平均分子量：３４０
【０２４９】
［（ａ3）鎖状炭化水素ジオールと少なくとも１の脂肪酸とのエステル］
・ユニスター  Ｈ−２０８ＢＲＳ，日油株式会社製
ジ２−エチルヘキサン酸ネオペンチルグリコール，重量平均分子量：約３６０
・コムポールＢＬ，日油株式会社製
ブチレングリコールのドデカン酸（Ｃ12）モノエステル，重量平均分子量：約２７０
・コムポールＢＳ，日油株式会社製
ブチレングリコールのオクタデカン酸（Ｃ18）モノエステル，重量平均分子量：約３５０
【０２５０】
［（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル］
・Ｏ−アセチルクエン酸トリブチル，東京化成工業株式会社製
重量平均分子量：約４００
・クエン酸トリブチル，東京化成工業株式会社製
重量平均分子量：約３６０
【０２５１】
［（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル］
・アジピン酸ジオクチル，和光純薬工業製
重量平均分子量：約３８０
【０２５２】
［（ｄ3）脂肪酸と脂肪族１価アルコールとのエステル］
・エレクトールＷＥ２０，日油株式会社製
ドデカン酸（Ｃ12）と、ドデシルアルコール（Ｃ12）とのエステル，重量平均分子量：約３６０
・エレクトールＷＥ４０，日油株式会社製
テトラデカン酸（Ｃ14）と、ドデシルアルコール（Ｃ12）とのエステル，重量平均分子量：約３９０
【０２５３】
［（ｅ1）ポリオキシＣ3〜Ｃ6アルキレングリコール］
・ユニオールＰＢ５００，日油株式会社製
ポリブチレングリコール，重量平均分子量：約５００
・ユニオールＰＢ７００，日油株式会社製
ポリオキシブチレンポリオキシプロピレングリコール，重量平均分子量：約７００
【０２５４】
［（ｆ1）鎖状アルカン］
・パールリーム６，日油株式会社製
流動イソパラフィン、イソブテン及びｎ-ブテンを共重合し、次いで水素を付加することにより生成された分岐鎖炭化水素、重合度：約５〜約１０，重量平均分子量：約３３０
【０２５５】
［その他の材料］
・ＮＡ５０，日油株式会社製
ＮＡ３６に水素を付加し、原料である不飽和脂肪酸に由来する二重結合の比率を下げたグリセリンと脂肪酸とのトリエステル，重量平均分子量：約８８０
・（カプリル酸／カプリン酸）モノグリセリド，日油株式会社製
オクタン酸（Ｃ8）及びデカン酸（Ｃ10）がおおよそ８５：１５の重量比で含まれている、グリセリンと脂肪酸とのモノエステル，重量平均分子量：約２２０
・Ｍｏｎｏｍｕｌｓ  ９０−Ｌ２ラウリン酸モノグリセリド，コグニスジャパン株式会社製
【０２５６】
・クエン酸イソプロピル，東京化成工業株式会社製
重量平均分子量：約２３０
・リンゴ酸ジイソステアリル
重量平均分子量：約６４０
・ユニオールＰＢ１０００Ｒ，日油株式会社製
ポリブチレングリコール，重量平均分子量：約１，０００
・ユニオールＤ−２５０，日油株式会社製
ポリプロピレングリコール，重量平均分子量：約２５０
【０２５７】
・ユニオールＤ−４００，日油株式会社製
ポリプロピレングリコール，重量平均分子量：約４００
・ユニオールＤ−７００，日油株式会社製
ポリプロピレングリコール，重量平均分子量：約７００
・ユニオールＤ−１０００，日油株式会社製
ポリプロピレングリコール，重量平均分子量：約１，０００
・ユニオールＤ−１２００，日油株式会社製
ポリプロピレングリコール，重量平均分子量：約１，１６０
【０２５８】
・ユニオールＤ−２０００，日油株式会社製
ポリプロピレングリコール，重量平均分子量：約２，０３０
・ユニオールＤ−３０００，日油株式会社製
ポリプロピレングリコール，重量平均分子量：約３，０００
・ユニオールＤ−４０００，日油株式会社製
ポリプロピレングリコール，重量平均分子量：約４，０００
【０２５９】
・ＰＥＧ１５００，日油株式会社製
ポリエチレングリコール，重量平均分子量：約１，５００〜約１，６００
・ウィルブライトｃｐ９，日油株式会社製
ポリブチレングリコールの両末端のＯＨ基が、ヘキサデカン酸（Ｃ16）によりエステル化された化合物，重量平均分子量：約１，１５０
・ユニルーブＭＳ−７０Ｋ，日油株式会社製
ポリプロピレングリコールのステアリルエーテル，約１５の繰返し単位，重量平均分子量：約１，１４０
【０２６０】
・ノニオンＳ−６，日油株式会社製
ポリオキシエチレンモノステアレート、約７の繰返し単位、重量平均分子量：約８８０
・ユニルーブ５ＴＰ−３００ＫＢ
ペンタエリトリトール１モルに、エチレンオキシド５モルと、プロピレンオキシド６５モルとを付加させることにより生成した、ポリオキシエチレンポリオキシプロピレンペンタエリスリトールエーテル，重量平均分子量：４，１３０
【０２６１】
・ウィルブライトｓ７５３，日油株式会社製
ポリオキシエチレンポリオキシプロピレンポリオキシブチレングリセリン，重量平均分子量：約９６０
・ユニオール  ＴＧ−３３０，日油株式会社製
ポリプロピレングリコールのグリセリルエーテル，約６の繰返し単位，重量平均分子量：約３３０
【０２６２】
・ユニオール  ＴＧ−１０００，日油株式会社製
ポリプロピレングリコールのグリセリルエーテル，約１６の繰返し単位，重量平均分子量：約１，０００
・ユニオール  ＴＧ−３０００，日油株式会社製
ポリプロピレングリコールのグリセリルエーテル，約１６の繰返し単位，重量平均分子量：約３，０００
・ユニオール  ＴＧ−４０００，日油株式会社製
ポリプロピレングリコールのグリセリルエーテル，約１６の繰返し単位，重量平均分子量：約４，０００
【０２６３】
・ユニルーブ  ＤＧＰ−７００，日油株式会社製
ポリプロピレングリコールのジグリセリルエーテル，約９の繰返し単位，重量平均分子量：約７００
・ユニオックスＨＣ６０，日油株式会社製
ポリオキシエチレン硬化ヒマシ油，重量平均分子量：約３，５７０
・ワセリン，コグニスジャパン株式会社製
石油に由来する炭化水素、半固形
【０２６４】
＜試験例２＞
［大量の血液を吸収した際の経血の表面残存率Ａ］
生理用ナプキンが一度に大量の血液を吸収した場合の吸収性を評価する実験を行った。
親水剤で処理されたエアスルー不織布（ポリエステル及びポリエチレンテレフタレートから成る複合繊維、坪量：３５ｇ／ｍ2）から形成されたトップシートと、エアスルー不織布（ポリエステル及びポリエチレンテレフタレートから成る複合繊維、坪量：３０ｇ／ｍ2）から形成されたセカンドシートと、パルプ（坪量：１５０〜４５０ｇ／ｍ2、中央部ほど多い）、アクリル系高吸収ポリマー（坪量：１５ｇ／ｍ2）及びコアラップとしてのティッシュを含む吸収体と、撥水剤処理されたサイドシートと、ポリエチレンフィルムから成るバックシートとを準備した。
【０２６５】
上記トップシートは、特開２００８−２０３４号公報に記載の方法に従って製造された、畝溝構造を有するトップシートであり、畝部の厚みが約１．５ｍｍであり、溝部の厚みが約０．４ｍｍであり、畝溝構造のピッチ（畝部の幅＋溝部の幅）が約４ｍｍであり、そして溝部には、開孔率約１５％の開孔部が形成されていた。
【０２６６】
血液滑性付与剤として、ユニスター  Ｈ−４０８ＢＲＳ（日油株式会社製、ペンタエリトリトールと脂肪酸とのテトラエステル）を選択し、室温において、コントロールシームＨＭＡガンから、上記トップシートの肌当接面（畝溝面）に、５．０ｇ／ｍ2の坪量で塗工した。電子顕微鏡で確認したところ、Ｈ−４０８ＢＲＳは、微粒子状で、繊維の表面に付着していた。
次いで、バックシート、吸収体、セカンドシート、そして畝溝面を上にしてトップシートを順に重ね合わせることにより、生理用ナプキンＮｏ．１−１を形成した。
【０２６７】
血液滑性付与剤を、ユニスター  Ｈ−４０８ＢＲＳから、表２に示されるものに変更して、生理用ナプキンＮｏ．１−２〜Ｎｏ．１−４９を製造した。なお、血液滑性付与剤が室温で液体である場合には、そのまま、そして血液滑性付与剤が室温で固体である場合には、融点＋２０℃まで加熱し、次いで、コントロールシームＨＭＡガンを用いて、血液滑性付与剤を微粒化し、トップシートの肌当接面に、坪量がおおよそ５ｇ／ｍ2となるように塗工した。
また、血液滑性付与剤は、トップシートの肌当接面のほぼ全面に、そして畝部及び溝部の両方に塗工された。
【０２６８】
［試験方法］
トップシートの質量：Ｗ2（ｇ）（試験前のトップシートの質量）を測定した後、吸収性物品の長手方向及び幅方向の中央部且つトップシートの上に、穴の開いたアクリル板（２００ｍｍ×１００ｍｍ，１２５ｇ，中央に、４０ｍｍ×１０ｍｍの穴が開いている）を置き、上記穴から、３７±１℃のウマＥＤＴＡ血（ウマの血液に、凝結防止のため、エチレンジアミン四酢酸（以下、「ＥＤＴＡ」と称する）が添加されたもの）４．０ｇを、ピペットを用いて滴下した。
【０２６９】
ウマＥＤＴＡ血の滴下後、直ちに上記アクリル板を外し、トップシートを取出し、その質量：Ｗ3（ｇ）（試験後のトップシートの質量）を測定し、以下の式に従って、「表面残存率Ａ（質量％）」を算出した。
表面残存率Ａ（質量％）
＝１００×［Ｗ3（ｇ）−Ｗ2（ｇ）］／４．０（ｇ）
【０２７０】
また、トップシートの肌当接面のタック性を、以下の基準に従って３５℃で測定した。
○：タック性なし
△：若干のタック性有り
×：タック性有り
【０２７１】
各吸収性物品の表面残存率Ａ、及びタック性、並びに各血液滑性付与剤の特性を、以下の表２に示す。また、図６に、トップシートがトリＣ２Ｌ油脂肪酸グリセリドを含む生理用ナプキンにおける、トップシートの肌当接面の電子顕微鏡写真を示す。
【０２７２】
【表２−１】
2014068957.tif 000013
【０２７３】
【表２−２】
2014068957.tif 000014
【０２７４】
血液滑性付与剤を有しない生理用ナプキンＮｏ．１−４９では、表面残存率Ａが７．５質量％であったが、動粘度及び抱水率が所定の範囲内にある生理用ナプキンＮｏ．１−１〜Ｎｏ．１−２１では、表面残存率Ａが２．５質量％以下であった。
【０２７５】
生理用ナプキンＮｏ．１−１〜Ｎｏ．１−２１では、トップシートの畝部に滴下されたウマＥＤＴＡ血が、畝部から溝部へと滑落し、溝部から吸収体内部に迅速に吸収される様子が観察された。一方、血液滑性付与剤を有しない生理用ナプキンＮｏ.１−４９では、滴下したウマＥＤＴＡ血は、溝部に滑落するのではなく、溝部にゆっくりと垂れ落ち、その多くがトップシートの畝部に残存した。また、抱水率が高い吸収性物品、例えば、Ｎｏ.１−３０では、トップシートの畝部に滴下されたウマＥＤＴＡ血は、溝部に滑落するのではなく、トップシートに一部残存しながらゆっくりと垂れ落ち、そして一部が畝部に残存した。
【０２７６】
以上より、生理用ナプキンＮｏ．１−１〜Ｎｏ．１−２１は、一度に大量の経血がトップシートに到達した際に、経血をトップシートから吸収体に迅速に移行させることができることが示唆される。
【０２７７】
次に、Ｎｏ．１−１〜１−４９の生理用ナプキンを、複数のボランティアの被験者に着用してもらったところ、Ｎｏ．１−１〜１−２１の血液滑性付与剤を含む生理用ナプキンでは、経血を吸収した後であってもトップシートにべたつき感がなく、トップシートがサラサラしているとの回答が多かった。
【０２７８】
本試験例では、特開２００８−２０３４号公報に記載の方法に従って製造された畝溝構造を有するトップシートを使用したが、血液滑性付与剤は、別の方法で製造された畝溝構造を有するトップシートを使用する場合や、畝溝構造以外の凹凸構造を有するトップシートを使用する場合にも同様に血液滑落作用を発揮し、経血をトップシートから吸収体に迅速に移行させることができると考えられる。
【０２７９】
＜試験例３＞
［少量の血液を吸収した際の経血の表面残存率Ｂ］
生理用ナプキンが少量の血液を吸収した場合の吸収性を評価する実験を行った。
親水剤で処理されたエアスルー不織布（ポリエステル及びポリエチレンテレフタレートから成る複合繊維、坪量：３５ｇ／ｍ2）から形成されたトップシート（以下、「畝溝を有するトップシート」と称する場合がある）と、エアスルー不織布（ポリエステル及びポリエチレンテレフタレートから成る複合繊維、坪量：３０ｇ／ｍ2）から形成されたセカンドシートと、パルプ（坪量：１５０〜４５０ｇ／ｍ2、中央部ほど多い）、アクリル系高吸収ポリマー（坪量：１５ｇ／ｍ2）及びコアラップとしてのティッシュを含む吸収体と、撥水剤処理されたサイドシートと、ポリエチレンフィルムから成るバックシートとを準備した。
【０２８０】
上記トップシートは、特開２００８−２０３４号公報に記載の方法に従って製造された、畝溝構造を有するトップシートであり、畝部の厚みが約１．５ｍｍであり、溝部の厚みが約０．４ｍｍであり、畝溝構造のピッチ（畝部の幅＋溝部の幅）が約４ｍｍであり、そして溝部には、開孔率約１５％の開孔部が形成されていた。
【０２８１】
血液滑性付与剤として、ユニスター  Ｈ−４０８ＢＲＳ（日油株式会社製、ペンタエリトリトールと脂肪酸とのテトラエステル）を選択し、室温において、コントロールシームＨＭＡガンから、上記トップシートの肌当接面（畝溝面）に、５．０ｇ／ｍ2の坪量で塗工した。電子顕微鏡で確認したところ、Ｈ−４０８ＢＲＳは、微粒子状で、繊維の表面に付着していた。
次いで、バックシート、吸収体、セカンドシート、そして畝溝面を上にしてトップシートを順に重ね合わせることにより、生理用ナプキンＮｏ．２−１（ｉ）を形成した。
【０２８２】
トップシートを、畝溝構造を有しないフラットな、親水剤で処理されたエアスルー不織布（ポリエステル及びポリエチレンテレフタレートから成る複合繊維、坪量：３５ｇ／ｍ2）から形成されたトップシート（以下、「フラットなトップシート」と称する場合がある）に変更した以外は、生理用ナプキンＮｏ．２−１（ｉ）と同様にして、生理用ナプキンＮｏ．２−１（ｉｉ）を形成した。
【０２８３】
血液滑性付与剤を、ユニスター  Ｈ−４０８ＢＲＳから、表３に示されるものに変更して、生理用ナプキンＮｏ．２−２（ｉ）〜Ｎｏ．２−１１（ｉ）及びＮｏ．２−２（ｉｉ）〜Ｎｏ．２−１１（ｉｉ）を製造した。なお、血液滑性付与剤が室温で液体である場合には、そのまま、そして血液滑性付与剤が室温で固体である場合には、融点＋２０℃まで加熱し、次いで、コントロールシームＨＭＡガンを用いて、血液滑性付与剤を微粒化し、トップシートの肌当接面に、坪量がおおよそ５ｇ／ｍ2となるように塗工した。
また、血液滑性付与剤は、トップシートの肌当接面のほぼ全面に、そして畝溝構造を有するトップシートでは、畝部及び溝部の両方に塗工された。
【０２８４】
［試験方法］
トップシートの質量：Ｗ4（ｇ）（試験前のトップシートの質量）を測定した後、吸収性物品の長手方向及び幅方向の中央のトップシートの上に、３７±１℃のウマＥＤＴＡ血約０．２５ｇ（２滴）をピペットから滴下した。なお、畝溝を有するトップシートでは、畝部の頂部にウマＥＤＴＡ血を滴下した。
【０２８５】
滴下から３０秒後、トップシートを取出し、その質量：Ｗ5（ｇ）（試験後のトップシートの質量）を測定し、以下の式に従って、「表面残存率Ｂ（質量％）」を算出した。
表面残存率Ｂ（質量％）
＝１００×（Ｗ5（ｇ）−Ｗ4（ｇ））／Ｗ6（ｇ）
なお、Ｗ6（ｇ）は、滴下前後のピペットの質量から算出した、滴下されたウマＥＤＴＡ血の質量である。
結果を、下記表３に示す。
【０２８６】
【表３】
2014068957.tif 000015
【０２８７】
表３から、血液滑性付与剤がＨ−４０８ＢＲＳ、パナセート８１０Ｓ、カプリン酸ジグリセリド、コムポールＢＬ、Ｏ−アセチルクエン酸トリブチル、アジピン酸ジオクチル、エレクトールＷＥ４０、ユニオールＰＢ５００、及びパールリーム６である場合には、畝溝を有するトップシートにおいて、表面残存率Ｂが低いことがわかる。これは、所定の特性を有する血液滑性付与剤が、少量の血液を畝部から、溝部、及び吸収体に迅速に移行させたことを示唆していると思われる。
【０２８８】
本試験例では、特開２００８−２０３４号公報に記載の方法に従って製造された畝溝構造を有するトップシートを使用したが、血液滑性付与剤は、別の方法で製造された畝溝構造を有するトップシートを使用する場合や、畝溝構造以外の凹凸構造を有するトップシートを使用する場合にも同様に血液滑落作用を発揮し、経血をトップシートから吸収体に迅速に移行させることができると考えられる。
【０２８９】
＜試験例４＞
［血液滑性付与剤を含む血液の粘性］
血液滑性付与剤を含む血液の粘性を、Ｒｈｅｏｍｅｔｒｉｃ  Ｅｘｐａｎｓｉｏｎ  Ｓｙｓｔｅｍ  ＡＲＥＳ（Ｒｈｅｏｍｅｔｒｉｃ  Ｓｃｉｅｎｔｉｆｉｃ，Ｉｎｃ）を用いて測定した。ウマ脱繊維血に、パナセート８１０ｓを２質量％添加し、軽く撹拌して試料を形成し、直径５０ｍｍのパラレルプレートに試料を載せ、ギャップを１００μｍとし、３７±０．５℃で粘度を測定した。パラレルプレートゆえ、試料に均一なせん断速度はかかっていないが、機器に表示された平均せん断速度は、１０ｓ-1であった。
【０２９０】
パナセート８１０ｓを２質量％含むウマ脱繊維血の粘度は、５．９ｍＰａ・ｓであり、一方、血液滑性付与剤を含まないウマ脱繊維血の粘度は、５０．４ｍＰａ・ｓであった。従って、パナセート８１０ｓを２質量％含むウマ脱繊維血は、血液滑性付与剤を含まない場合と比較して、約９０％粘度を下げることが分かる。
【０２９１】
血液は、血球等の成分を含み、チキソトロピーの性質を有することが知られているが、本開示の血液滑性付与剤は、低粘度域で、経血等の血液の粘度を下げる作用をも有すると考えられる。血液の粘度を下げることにより、吸収した経血を、トップシートから吸収体に速やかに移行しやすくなると考えられる。
【０２９２】
＜試験例５＞
［血液滑性付与剤を含む血液の顕微鏡写真］
健常ボランティアの経血を、食品保護用ラップフィルム上に採取し、その一部に、１０倍の質量のリン酸緩衝生理食塩水中に分散されたパナセート８１０ｓを、パナセート８１０ｓの濃度が１質量％となるように添加した。経血を、スライドグラスに適下し、カバーグラスをかけ、光学顕微鏡にて、赤血球の状態を観察した。血液滑性付与剤を含まない経血の顕微鏡写真を図７（ａ）に、そしてパナセート８１０ｓを含む経血の顕微鏡写真を図７（ｂ）に示す。
【０２９３】
図７から、血液滑性付与剤を含まない経血では、赤血球が連銭等の集合塊を形成しているが、パナセート８１０ｓを含む経血では、赤血球が、それぞれ、安定に分散していることが分かる。従って、血液滑性付与剤は、血液の中で、赤血球を安定化させる働きをも有することが示唆される。
【０２９４】
＜試験例６＞
［血液滑性付与剤を含む血液の表面張力］
血液滑性付与剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液滑性付与剤を添加し、十分振とうした後に測定した。
測定は、機器が自動で行うが、表面張力γは、以下の式により求められる（図８を参照）。
【０２９５】
γ＝ｇ×ρ×（ｄｅ）2×１／Ｈ
ｇ：重力定数
１／Ｈ：ｄｓ／ｄｅから求められる補正項
ρ：密度
ｄｅ：最大直径
ｄｓ：滴下端よりｄｅだけ上がった位置での径
【０２９６】
密度ρは、ＪＩＳ  Ｋ  ２２４９−１９９５の「密度試験方法及び密度・質量・容量換算表」の５．振動式密度試験方法に準拠し、下記表４に示される温度で測定した。
測定には、京都電子工業株式会社のＤＡ−５０５を用いた。
結果を、下記表４に示す。
【０２９７】
【表４】
2014068957.tif 000016
【０２９８】
表４から、血液滑性付与剤は、血液の表面張力を下げる作用をも有することが分かる。
血液の表面張力を下げることにより、吸収した血液をトップシートの繊維間に保持せず、速やかに吸収体に移行させることができると考えられる。
【符号の説明】
【０２９９】
１    吸収性物品
２    トップシート
３    バックシート
４    吸収体
５    サイドシート
６    本体部
７    ウイング部
８    血液滑性付与剤塗布領域
１０    切断開口部
１１    凹部
１２，１３    シール部
１４    粘着部
１２０    トップシートロール
１３０    パターンドラム
１５０    エンボス加工装置
【図１】
2014068957.tif 000017
【図２】
2014068957.tif 000018
【図３】
2014068957.tif 000019
【図４】
2014068957.tif 000020
【図５】
2014068957.tif 000021
【図８】
2014068957.tif 000022
【図６】
2014068957.tif 000023
【図７】
2014068957.tif 000024